(57)【要約】  密閉型ベンチトップ分析装置、ならびにそれに関連するシステム、プロセス、および技術が開示される。ベンチトップ分析装置は、プローブとサンプルとを密閉する筐体を含むことができる。コンプライアンスコンポーネントは、閉じられている筐体の蓋に基づいて、動作可能な構成にある筐体に関連するコンプライアンス規則などの、１つまたは複数のコンプライアンス規則の満足を決定できる。コンプライアンス規則が満たされていると決定された場合、コンプライアンスコンポーネントは、プローブを介したサンプルの調査のための光エネルギーの放出を可能にしてもよい。いくつかの実施形態において、筐体は、サンプルを筐体内の適切な位置に便利かつ正確に保持するために使用できるサンプルプレートを密閉することができる。
2020507784.tif 000002
【特許請求の範囲】
【請求項１】
ベンチトップ分析装置であって、
筐体と、
プロセッサと、
メモリと、
を具備し、
前記筐体は、
蓋と本体とを有し、前記蓋が開位置と閉位置との間で前記本体に対し移動可能であり、前記蓋が前記閉位置にある場合に、
前記筐体の前記本体に設けられサンプルの光学分光法の実行を促進するプローブと、
前記光学分光法の前記実行のための前記サンプルを受けるサンプル提示コンポーネントと、
を密閉し、
前記メモリは、
前記プロセッサによって実行される場合に、前記ベンチトップ分析装置に、
前記筐体の前記蓋が前記閉位置にあるという指示を受け取らせ、
前記筐体の前記蓋が前記閉位置にあるという前記指示に基づいて前記筐体の動作可能な構成に関わる規則が満たされるか否かを決定させ、
前記規則が満たされているという決定に応じて、光エネルギーの放出により前記プローブを介して前記サンプルの前記光学分光法を実行させる、
実行可能な指令を記憶する、
装置。
【請求項２】
前記実行可能な指令は、前記プロセッサによって実行される場合に、前記ベンチトップ分析装置に、前記規則と第２の規則とを含む規則群が同時に満たされることをさらに決定させ、前記光学分光法は、前記規則群が同時に満たされるという決定に応じて実行される、請求項１のベンチトップ分析装置。
【請求項３】
前記規則群の前記第２の規則は、前記ベンチトップ分析装置のオペレータがユーザアカウントにログインしたことの決定に関する、請求項２のベンチトップ分析装置。
【請求項４】
前記サンプル提示コンポーネントは、前記筐体内の前記サンプルを受けて支持するサンプルプレートを具備する、請求項１のベンチトップ分析装置。
【請求項５】
プレート保持領域が前記筐体の前記本体内に限定され、
前記プローブは、前記プレート保持領域内に設けられ、
前記サンプルプレートは、
前記プレート保持領域内に移動可能に配置され、
前記サンプルプレートが前記プレート保持領域に配置されている場合に、前記サンプルプレートの周辺の最高点から前記プローブに隣接する位置の最低点まで傾斜する傾斜面、または、
前記サンプルプレートの平坦な表面に限定される凹部領域を有し、前記凹部領域の一部は前記サンプルプレートが前記プレート保持領域内に配置されている場合に前記プローブに隣接する位置に配置される、前記平坦な表面と、
の少なくとも１つを有する、請求項４のベンチトップ分析装置。
【請求項６】
開口部が、（ｉ）前記傾斜面の最低点または（ｉｉ）前記凹部領域の一部、にある前記サンプルプレート内に限定され、
前記プローブは、垂直に配置され、上方向を指し、前記開口部内に配置され、前記サンプルプレートが前記プレート保持領域内に配置されて前記サンプルが前記開口部上の前記サンプルプレートの上側に支持される場合に前記サンプルの下から前記サンプルを調査する、請求項５のベンチトップ分析装置。
【請求項７】
前記サンプルプレートは、傾斜面を有し、前記プローブのチップは、前記サンプルプレートが前記プレート保持領域内に配置される場合に、前記傾斜面の最低点より上に延長する、請求項６のベンチトップ分析装置。
【請求項８】
前記サンプルプレートは、平坦面を有し、前記サンプルは、前記筐体の前記蓋を閉じる前に前記凹部領域内に置かれる、請求項５のベンチトップ分析装置。
【請求項９】
前記サンプルプレートは、第１のサンプルプレートであり、前記第１のサンプルプレートは、前記第１のサンプルプレートと異なる第２のサンプルプレートと交換可能である、請求項５のベンチトップ分析装置。
【請求項１０】
前記プレート保持領域は、前記プレート保持領域の周辺の最高点から前記プローブに隣接する最低点まで傾斜する傾斜面を有する、請求項５のベンチトップ分析装置。
【請求項１１】
ベンチトップ分析装置であって、
筐体と、
コンプライアンスコンポーネントと、
を具備し、
前記筐体は、
蓋と本体とを有し、前記蓋が開位置と閉位置との間で前記本体に対し移動可能であり、前記蓋が前記閉位置にある場合に、
前記筐体の前記本体に設けられサンプルの光学分光法の実行の一部として光エネルギーを伝えるプローブと、
前記サンプルを受けるサンプル提示コンポーネントと、
を密閉し、
前記コンプライアンスコンポーネントは、
（ｉ）前記筐体の前記蓋が前記閉位置にあるという決定に応じて前記プローブを介して前記光エネルギーの放出を可能にし、（ｉｉ）前記筐体の前記蓋が前記閉位置にないという決定に応じて前記プローブを介して前記光エネルギーの放出を不可能にする、
装置。
【請求項１２】
前記コンプライアンスコンポーネントは、規則群が同時に満たされるという決定に応じて前記プローブを介して前記光エネルギーの放出を可能にし、前記規則群の第１の規則は、前記筐体の前記蓋が前記閉位置にある場合に満たされる、請求項１１のベンチトップ分析装置。
【請求項１３】
前記ベンチトップ分析装置のオペレータがユーザアカウントにログインした場合に、前記規則群の第２の規則が満たされる、請求項１２のベンチトップ分析装置。
【請求項１４】
前記サンプル提示コンポーネントは、前記筐体内の前記サンプルを受けて支持するサンプルプレートを具備する、請求項１１のベンチトップ分析装置。
【請求項１５】
前記筐体は、前記筐体の前記蓋が前記閉位置にある場合、前記ベンチトップ分析装置のオペレータにより利用可能となる調整機構をさらに密閉し、その一方で、前記筐体の前記蓋が前記開位置にある場合、前記プローブに対して前記サンプル提示コンポーネントの位置を調整する、請求項１１のベンチトップ分析装置。
【請求項１６】
前記筐体は、前記蓋が前記閉位置にある場合に、前記筐体の内部の直接的視覚化を可能にしつつ前記光エネルギーの伝達を減衰する窓材からなるビューポートを具備する、請求項１１のベンチトップ分析装置。
【請求項１７】
前記サンプルの前記光学分光法の前記実行は、前記サンプルのラマン分光法の実行を含む、請求項１１のベンチトップ分析装置。
【請求項１８】
規則が満たされるという決定に応じて、ベンチトップ分析装置のコンプライアンスコンポーネントにより、プルーブを介した光エネルギーの放出を可能にし、前記規則は、閉位置にある筐体の蓋に基づいて規則が満たされ、前記筐体は、前記蓋が前記閉位置にある場合にサンプル提示コンポーネントとプローブとを密閉し、前記プローブは、前記光エネルギーを前記サンプルへ向けることにより前記サンプル提示コンポーネントの中または上にあるサンプルの光学分光法を実行する、ことと、
前記規則が満たされていないという決定に応じて、前記コンプライアンスコンポーネントにより、前記光エネルギーの放出を不可能にすることと、
を具備する方法。
【請求項１９】
前記コンプライアンスコンポーネントは、規則群が同時に満足されるという決定に応じて前記光エネルギーの前記放出を可能にし、前記規則群は、前記規則と第２の規則とを含み、前記第２の規則は、ユーザアカウントにログインした前記ベンチトップ分析装置のオペレータに基づいて満たされる、請求項１８の方法。
【請求項２０】
前記光エネルギーの前記放出は、前記サンプルのラマン分光法の実行のサブステップである、請求項１８の方法。
【請求項２１】
ユーザインターフェースを介して、（ｉ）複数の利用可能なサンプルのタイプのうちのサンプルのタイプ、または、（ｉｉ）前記サンプルのタイプの濃度、の選択を受け取ることと、
筐体中のプローブから前記サンプルへ向けて光エネルギーを放出することにより、ベンチトップ分析装置の筐体中にあるサンプルの光学分光法を実行することと、
前記ユーザインターフェースを介して、（ｉ）前記サンプルが前記サンプルのタイプか、または、（ｉｉ）前記サンプルの濃度であることを検証した結果を出力することと、
を具備する方法。
【請求項２２】
前記筐体の前記蓋が閉位置にあることに基づいて満たされる規則が満たされたことを、前記ベンチトップ分析装置のコンプライアンスコンポーネントにより、決定することと、
前記規則が満たされるという決定に応じて前記光学分光法を実行するために、前記プローブを介した前記光エネルギーの放出を、前記コンプライアンスコンポーネントにより、可能にすることと、
をさらに具備する請求項２１の方法。
【発明の詳細な説明】
【関連出願の記載】
【０００１】
本ＰＣＴ出願は、２０１７年２月１５日に提出され、共同譲渡された同時係属中の米国特許出願第１５／４３４，００２号の優先権を主張する。出願第１５／４３４，００２号は、参照により本明細書に完全に包含される。
【技術分野】
【０００２】
開示された主題は、密閉型ベンチトップ分析機器、例えば、筐体を有するベンチトップ化学分析機器に関する。いくつかの実行形態において、開示される主題は、光学分析機器、例えば、ラマン分光分析装置に関する。
【背景技術】
【０００３】
従来のラマン分光計は、多くの場合、工業用の大型機器であった。イメージングおよびレーザ技術の分野での開発により、ラマン分光計のサイズは劇的に小型化し、ベンチトップ、さらには本技術分野のユーザに非常に詳細な分析情報を提供できる携帯型分析機器さえ可能になった。これらの進歩にもかかわらず、従来のベンチトップシステムのラマン分光計とサンプルのインターフェースは外部環境にさらされている。そのため、ラマン装置の安全で効果的な使用に対応するため、これらの従来の装置は、周囲の光を減らすために特別な部屋で使用されることが多く、サンプルから発する有害な蒸気や煙を除去するために換気フード内に配置される。多くの場合、従来のラマン機器のオペレータは、分光器とサンプルのインターフェースから発せられる有害な光から目を保護するためにレーザ対策用アイプロテクションを使用する。いくつかの従来のシステムでは、素朴な蓋または箱の形をした基本的な筐体を使用して、光の透過をブロックすることが可能で、これにより、オペレータの目の保護および／または周囲光のブロックが可能となる。
【０００４】
しかしながら、これらの基本的な解決策は、通常、分析のためにサンプルを便利な方法で配置する際の課題、連続サンプリングの自動化の難しさ、環境制御の欠如などの課題をもたらす。例えば、従来のシステムのオペレータが分光器とサンプルのインターフェースを基本的な筐体でブロックすると、通常、サンプルの場所が変更されていないことを確認する方法はない。さらに、一般的にラマン装置全体を換気フード内に配置する以外に有害なサンプルをサンプリングする方法はなく、一般に、ラマン機器が配置されている空間の環境を調整することによってラマン装置全体を同様の条件にさらすことなしにサンプルの環境を調整する方法はない。本明細書でなされた開示を、これらおよび他の考慮事項について示す。
【発明の概要】
【０００５】
通常、ラマン分光法では、調査中の光エネルギーと戻される光エネルギーとの間で大量の光出力の損失が発生する。そのため、レーザなどの光エネルギー源は、手頃な価格の検出器の使用に対処するため、しばしば非常に強力になる。特殊な検出器は低エネルギーの調査レーザの使用に対処しうる一方で、検出器のコストと特別な動作条件のせいで、このオプションは商業環境では実行不可能になる。強力なレーザは人間の組織、特に人間の目に危険を及ぼす可能性があることが理解されよう。
【０００６】
この目的のために、本開示は、密閉型ベンチトップ分析装置、および密閉型ベンチトップ分析装置を使用する方法に関する。ベンチトップ分析装置は、サンプルの光学分光法を実行するように構成されたプローブを含んでもよい。したがって、オペレータは、サンプルを、プローブでそれを調査可能な位置にあるベンチトップ分析装置の筐体内に配置することが可能である。筐体内のサンプル提示コンポーネントをこの目的のために使用してもよい。サンプルが所定の位置にある状態で、オペレータは筐体の蓋を閉めてもよく、それにより筐体内にサンプルとプローブを封入する。ベンチトップ分析装置のコンプライアンスコンポーネントは、光学分光法を開始する前に筐体の蓋が完全に閉じていることを確認してもよい。例えば、コンプライアンスコンポーネントにより、筐体が動作可能な構成にある（例えば、蓋が閉まっている）ときに満たされる規則などの規則が満たされていることの決定に応じて、プローブを介した光学分光法の実行を可能にし得る。したがって、コンプライアンスコンポーネントは、プローブを介した光エネルギーの放出を制御（たとえば、有効化または無効化）し、そのことが適切な場合（たとえば安全な場合）にプローブから光エネルギーが専ら放出される。これにより、手順、公差、および安全対策の指定を自動的に監視して、ベンチトップ分析装置を使用して分析を進めることが可能となる。したがって、筐体がオペレータの目（および他のユーザの目）を光エネルギーの放出から効果的に保護するためオペレータの安全性が向上し、筐体が開いている間はプローブが光エネルギーを放出することを防止し、これによりベンチトップ分析装置の付近にいるユーザおよび／または観察者を保護する。これにより、ベンチトップ分析装置が配置されているあらゆる環境でサンプルの光学分光を実行することが効率的かつ便利になる。
【０００７】
いくつかの実行形態において、ベンチトップ分析装置の筐体内のサンプル提示コンポーネントは、筐体内でサンプルを受けて支持するためのサンプルプレートを含んでもよい。このサンプルプレートは取り外し可能であってもよく、筐体内に配置される場合にサンプルプレートは筐体の本体内に限定された保持領域内に置かれる。サンプルプレートは、筐体内のサンプルの光学分光の実行効率が向上するようにサンプルの正確で便利な位置決めを確保し、且つ筐体の蓋が閉じた後にサンプルの位置が変化しないことを保証するための特徴および／またはメカニズムを含んでもよい。例えば、サンプルプレートは、サンプルプレートがプレート保持領域に配置されたときに、サンプルプレートの周辺の最高点からプローブに隣接する位置の最低点まで傾斜する傾斜面を有してもよい。これにより、筐体の蓋が閉まった後、重力を利用して（たとえば、プローブの視線内にある、および／またはプローブのチップ（先端）と接触している）サンプルプレート上の適切な位置にサンプルを保持する。追加手段として、または代替手段として、サンプルプレートは、サンプルプレートの平坦な表面に限定される凹部領域を有する平坦な表面を有してもよく、凹部領域の一部は、サンプルプレートがプレート保持領域内に配置されたときにプローブに隣接する位置に配置される。この凹部領域は、筐体の蓋が閉じられた後、（たとえば、プローブの視線内にある、および／またはプローブのチップと接触している）サンプルプレート上の適切な位置にサンプルを保持するのに役立つ。さらに他の実行形態において、サンプルプレートをプローブに対するサンプルの位置を調整する調整機構と関連付けてもよく、サンプルの好都合な位置決め、および、筐体の蓋を閉じた後でサンプルを適切な位置で保持することが考慮される。
【０００８】
１つまたは複数の開示された実行形態の筐体を備えたベンチトップ分析装置（例えば、ベンチトップラマン分光計）は、より安全な操作、改善された自動化、より広範囲な許容サンプル、消耗品の自己診断などを考慮することによってラマン分光計の操作および実装を改善するのに役立ち得る。いくつかの開示された実行形態では、オペレータは、異なるタイプのパッケージング（例えば、異なる形状のパッケージング）にパッケージされたサンプルの調査を考慮すべく筐体内で異なるサンプル提示コンポーネント（例えば、サンプルプレート）を交換することが可能になる。たとえば、パッケージ化された薬剤（医薬品）を適切なサンプルプレート上に配置することが可能で、それは医薬品サンプルの光学検査を考慮するために筐体の本体内に限定されたプレート保持領域に配置することが可能である。このシナリオでは、オペレータは単に検証ボタンを選択して筐体内のサンプルの光学分光法を開始してもよく、分析の１つまたは複数の結果をオペレータに（たとえば、ディスプレイ画面上に）提示してもよい。オペレータに提示される結果は、（薬剤の種類などの）サンプルの種類が光学分光法を通して（たとえば、取得したラマンスペクトルがサンプルの種類の既知のラマンスペクトルと一致することを確認することによって）検証されるか、および／または、サンプルの濃度が光学分光法によって検証されるかどうかを示してもよい。これは、間違った種類の薬剤および／または間違った濃度の薬剤が、病院などのさまざまな設定にある患者を治療するのに配布されて最終的に使用される標準的な医薬品のパッケージング内に不可解に入り込むことが可能な、たとえば、製薬業界において特に役立つ。
【０００９】
前述の目的および関連する目的を達成するために、開示される主題は、以下により完全に説明される１つまたは複数の特徴を含む。以下の説明および添付の図面は、主題の特定の例示的な態様を詳細に説明する。しかしながら、これらの態様は、主題の原理を採用できるさまざまな方法のほんの一部を示す。開示された主題の他の態様、作用効果、および新規の特徴は、提供された図面と関連して以下の詳細な説明から明らかになる。
【図面の簡単な説明】
【００１０】
ここで、図面を参照して本開示を説明するが、同様の参照番号は全体を通して同様の要素を指すために使用される。以下の記載では、説明のため、主題の開示の完全な理解を提供するために多数の特定な詳細事項が述べられている。ただし、これらの特定な詳細事項なしで主題の開示を実行できることは明らかである。他の例では、主題の開示の説明を容易にするために周知の構造および装置をブロック図形式で示す。
【００１１】
【図１】図１は、主題の開示の態様による、開状態および閉状態の両方で示される筐体、サンプルおよびプローブを封入する（閉状態の）筐体を含む例示的なベンチトップ分析装置の斜視図を示す。
【００１２】
【図２】図２は、本開示の態様に従った、図１のベンチトップ分析装置の例示的な筐体の側面図および正面図を示す。
【００１３】
【図３】図３は、本開示の態様による、開状態および閉状態の両方の筐体、サンプルおよびプローブを密閉する筐体（閉状態）を含む例示的なベンチトップ分析装置の斜視図を示す。
【００１４】
【図４】図４は、本開示の態様による、ベンチトップ分析装置の例示的な筐体、および筐体内に取り外し可能に配置され得る例示的なサンプルプレートの斜視図を示す。
【００１５】
【図５】図５は、プローブがサンプルプレートの開口部内に配置され、サンプルがサンプルプレートの上側に置かれる状況でベンチトップ分析装置に実装されたサンプルプレートの断面線Ａ−Ａに沿った斜視図および断面図を示す。
【００１６】
【図６】図６は、本開示の態様による、サンプルとプローブとのインターフェースの封入を促進する例示的なシステムの図である。
【００１７】
【図７】図７は、、本開示の態様による、筐体を含むベンチトップ分析装置のサンプルとプローブとのインターフェースの間接的な監視を促進する例示的なシステムの図である。
【００１８】
【図８】図８は、本開示の態様による、筐体を含むベンチトップ分析装置のプローブインターフェースのサンプルの直接監視を促進するシステム例を示す。
【００１９】
【図９】図９は、本開示の態様による、密閉型ベンチトップ分析装置内の環境制御を可能にするシステムの例を示す。
【００２０】
【図１０】図１０は、本開示の態様による、密閉型ベンチトップ分析装置のサンプルステージの移動を促進するシステムの例を示す。
【００２１】
【図１１】図１１は、本開示の態様による、密閉型ベンチトップ分析装置用のプローブの交換可能な光学素子コンポーネントの洗浄または交換を可能にするシステム例を示す。
【００２２】
【図１２】図１２は、本開示の態様による、システムの動作制御のためのユーザインターフェースを提供し、分析結果を見るためのベンチトップ分析装置の筐体およびそれに結合されたコンピュータを含む例示的なシステムを示す。
【００２３】
【図１３】図１３は、本開示の態様による、密閉型ベンチトップ分析装置の規則の充足に基づいて、光学調査エネルギーの放出を促進する例示的なプロセスを示す。
【００２４】
【図１４】図１４は、本開示の態様による、密閉型ベンチトップ分析装置の規則の充足に基づいて、光学調査エネルギーの放出を促進する例示的なプロセスを示す。
【００２５】
【図１５】図１５は、本開示の態様による、プローブとサンプルとの接触の指示および十分に減衰した非検証光エネルギーの同時指示に基づいて第１の検証光エネルギーの放出を可能にする例示的なプロセスを示す。
【００２６】
【図１６】図１６は、本開示の態様による、密閉型ベンチトップ分析装置内の異なるサンプル位置でのサンプルの連続的な光学調査を促進する例示的なプロセスを示す。
【００２７】
【図１７】図１７は、本開示の態様による、ベンチトップ分析装置の筐体内でサンプルの光学分光法を実行することにより、サンプルのタイプおよび／またはサンプルの濃度の検証を可能にする例示的なプロセスを示す。
【００２８】
【図１８】図１８は、開示された主題が相互作用することができるコンピューティング環境の例示的な概略ブロック図を示す。
【００２９】
【図１９】図１９は、いくつかの実行形態による、開示されたシステムおよびプロセスを実行するために動作可能なコンピューティングシステムの例示的なブロック図を示す。
【詳細な説明】
【００３０】
開示された実行形態は、明確さと簡潔さのために別々に提示可能であるが、開示された実行形態の組み合わせも本開示の範囲内であると見なされ、例えば、第１の実行形態は、ビューポートおよび第２の実行形態は環境制御ユニットを備えた筐体を開示でき、第３の実行形態は撮像システムを備えた筐体を開示でき、したがって、ビューポートと環境制御の両方を備えた実行形態が検討され、ビューポートと撮像システムの両方を備えた実行形態が検討され、撮像システムと環境制御とを備えた実行形態が検討され、ビューポートと環境制御と撮像システムとを備えた実行形態が検討され、ラマンスペクトル分析の効率を向上させ、トレーニングコストを削減し、安全性を改善し、より広い範囲のサンプルの分析などを可能にすることを留意されたい。
【００３１】
図１は、開状態または閉状態のいずれかであり得る筐体１１０を含む例示的なベンチトップ分析装置１００の斜視図を示す。本開示の態様によれば、ベンチトップ分析装置１００の筐体１１０は、（閉じた状態で）プローブ１０２を密閉してもよい。本明細書に開示されるベンチトップ分析装置１００は、ある距離からのサンプルの非接触型光学調査を促進し、例えば、入射ビームの焦点は、プローブ１０２の最遠位の部分（例えば、チップ）からの決められた距離でもよい。しかしながら、非接触型光学検査では、サンプル自体（またはサンプルを含むパッケージ）はプローブ１０２のチップに接触してもよいが、サンプル（またはそのパッケージ）は非接触型光学調査においてプローブ１０２のチップに接触する必要はない。本明細書に記載される様々な例は、プローブ１０２と「接触する」「サンプル」を開示する。プローブ１０２と「接触」している「サンプル」は、サンプル自体がプローブ１０２と接触していること、あるいは、サンプルを含むパッケージ（または容器）がプローブ１０２と接触していることを意味し得ることを理解されたい。後者の場合、サンプルを含むパッケージは透明で、パッケージ内のサンプルの光学調査を可能にしてもよい。サンプルパッケージがプローブ１０２のチップの近く（すなわち、閾値距離内）に位置するか、または接触して配置されるとき入射ビームの焦点はパッケージ内（つまり、プローブ１０２のチップから決められた距離）に位置するため、透明なパッケージ内にパッケージされたままの状態でサンプルを分析するために非接触型光学調査を使用してもよい。
【００３２】
いくつかの実行形態において、プローブ１０２は、サンプルの接触型光学調査を促進し得る。接触型光学調査は、光学調査中にプローブ１０２の最遠位の部分（例えばチップ）がサンプルと接触するときである。サンプルの接触型光学調査を促進する例示的なプローブ１０２は、サンプルがプローブ１０２の最遠位の部分（例えば、チップ）と接触する点と一致するサンプル界面に光エネルギーを向けるための球面レンズを有するプローブ１０２である。
【００３３】
図１に示されるように、筐体１１０は、蓋１１４および本体１１６を含んでもよい。蓋１１４は、筐体１１０の本体１１６に対して開いた位置と閉じた位置との間で移動可能であってもよい。蓋１１４を図１の左側で開いた位置に示し、また図１の右側で閉じた位置に示す。筐体１１０内または筐体１１０上に配置された接触センサは、いつ筐体１１０の蓋１１４が閉位置にあるか（また蓋１１４が閉位置にないか）を決定してもよく、また、接触センサは、いつ筐体１１０が動作可能な構成にある筐体に関するコンプライアンス規則に準拠するか（例えば、筐体１１０の蓋１１４が閉じたときに筐体１１０は動作可能な構成であってもよいか）を示すために、ベンチトップ分析装置１００のコンプライアンスコンポーネントに指示を提供してもよい。筐体１１０内のサンプルの光学分光法を実行するためにプローブ１０２を介して光エネルギーを放出または発する前に、コンプライアンスコンポーネントはコンプライアンス規則が満たされているかどうかを判断し、そうであれば、プローブ１０２を介して光エネルギーの放出を可能にしてもよい。筐体１１０の動作可能な構成に関するコンプライアンス規則は、本明細書で説明されるように、サンプルの光学分光法を続行する前に同時に満たされるべきコンプライアンス規則の群の１つであってもよい。
【００３４】
一態様では、蓋１１４はビューポート１５０を含んでもよい。一態様では、ビューポート１５０は、選択された波長で光学的に透明であることが可能で、オペレータの安全性およびキャプチャされたスペクトルのアーティファクトの低減を伴う分析の直接視認を可能にする。一例として、ビューポート１５０は、サンプルインターフェースから逃げることができるレーザ光を減衰させるレーザーセーフウィンドウを含むことができ、これによりオペレータを保護することが可能である。別の例として、ビューポート１５０は、光の透過を物理的にブロックできるシャッター、スライドプレートなどを含むことが可能である。この例では、オペレータは、例えば位置づけるためにサンプルを直接視認し、次に入力を提供し、たとえば開始（または確認）ボタンを押すなどをすることが可能で、これによりシャッターを閉じて分析を進め、その後シャッターを開けることが可能である。シャッタープロセスは短く保つことができ、それはサンプルを光学的に調べるのに必要な時間よりもわずかに長い。一態様では、シャッターは「点滅」して、オペレータをレーザ光から保護し、周囲光からインターフェースを保護することが可能である。シャッターを閉じると、コンプライアンスコンポーネントがプローブ１０２を介してレーザエネルギーの放出を可能にするのに対して、シャッターをトリガーする動作は、実際にレーザをサンプルに発射させることも可能である。なお、ヒューリスティックタイミングを例に組み込んで、サンプルのレーザ発振が始まる前のシャッターのトリガー後のわずかな遅延、およびそれに対応して、レーザ発振の終了とシャッターの再開との間のわずかな遅延を提供できることに留意されたい。オペレータは、筐体１１０の蓋１１４が閉じている間、ビューポート１５０を介してサンプル／プローブインターフェースを直接視認することが可能である。本明細書で説明する他の実行形態は、同様の方法で人間の感覚を拡張するために追加の撮像コンポーネントを使用し、機器の状態を監視し、より安全でより快適なベンチトップ分析環境を提供する一方で、さまざまな機器モードでの自動化された方法で壊れやすいまたは危険なサンプルの分析を可能にする。
【００３５】
筐体１１０の本体１１６は、筐体１１０内のサンプルのラマン分析の結果を処理／分析するラマン分光計の構成要素など、システムのさまざまな構成要素および電子機器を含んでもよい。筐体１１０は、オペレータがサンプルの分析を実行できるように構成されたベンチトップ分析装置１００の一部であってもよい。例えば、ベンチトップ分析装置１００は、ユーザインターフェース制御および分析結果（例えば、ラマンスペクトル、サンプル決定など）を提示するためのディスプレイを有するコンピュータを更に備えてもよく、また筐体１１０をこのコンピュータにさらに通信可能に（有線または無線で）結合してもよい。いくつかの実行形態において、そのようなコンピュータを筐体１１０の本体１１６に統合または埋め込むことができ、筐体１１０は、図１に示すディスプレイ１１１などの埋め込みディスプレイを含んでもよい。
【００３６】
筐体１１０は、オペレータが筐体１１０の電子機器（および一般にベンチトップ分析装置１００の電子機器）の電源を入れるために作動（例えば、押す）ことができる電源ボタン１７０などの様々な入力および／または出力コンポーネントを含んでもよい。筐体１１０は、電源がオンであることを示したり、サンプル分析（例えば、光学分光法）が進行中であることを示したり、筐体１１０が動作可能な構成にある（例えば、蓋１１４が閉位置にある）ことを示すなどのような様々な事柄を示す１つまたは複数の発光ダイオード（ＬＥＤ）インジケータ１８０をさらに含んでもよい。
【００３７】
プローブ１０２を、本体１１６に取り付け、下向きの方向に向けてもよい。すなわち、プローブ１０２は、励起源から負のｚ方向（または下方向）に到来するレーザ光形式の光エネルギーを誘導し、サンプルから正のｚ方向に反射した散乱光を収集する光学素子（レンズなど）を含むことによって、図１に示されるように負のｚ方向を指してもよい。
【００３８】
いくつかの実行形態において、プローブ１０２は、サンプルに光エネルギーを向けるための光学素子を含むことが可能である。一例として、プローブ１０２は、ラマン浸漬試験、接触ラマン試験などのためのＢａｌｌＰｒｏｂｅ（登録商標）（ワシントン州シアトルのマークメトリクス社製）とすることができる。プローブ１０２は、関連技術の当業者に理解されるような本開示の主題の範囲から逸脱することなく、他の技術、例えば、赤外線（ＩＲ）プローブ、抵抗プローブ、導電率プローブ、ｐＨプローブ、バイオマーカープローブなどを含むことが可能である。
【００３９】
さらに、本開示は一般的にラマン分光法に関して明確かつ簡潔にするために提示されているが、紫外線／可視光線（ＵＶ−Ｖｉｓ）、近赤外線（Ｒ）、中赤外線（ＦＴＩＲ）、蛍光などの他の光学分析技術を使用するものを含む他のベンチトップ機器にも同様の利点を提供でき、そのような他の使用はすべて、明示的に列挙されていないことに関係なく本開示の範囲内である。さらに、いくつかの実行形態において、開示された主題は、ＵＶ−Ｖｉｓ、ＮＩＲ、ＦＴＩＲ、蛍光などの他の光学分析技術と直列または並列にラマン分光法を実行することができ、例えば、オペレータがサンプルをラマン機器からＮＩＲ機器、ＦＴＩＲ機器などに移動する必要がないようにラマンスペクトルを同じサンプルのための別の光学分析とともに実質的に同時に補足することが可能である。いくつかの実行形態において、開示される主題は、複数の励起エネルギー、例えば５３２ｎｍ、７８５ｎｍ、１０６４ｎｍなどに対して直列または並列で実行されるラマンをサポートすることが可能である。さらになお、いくつかの実行形態は、画像化をラマンスペクトル、例えばサンプルの写真および写真にマッピングされたラマンスペクトルと組み合わせることが可能である。
【００４０】
筐体１１０は、サンプルプレート１２０（本明細書で開示されるサンプル提示コンポーネントの実行形態）をさらに含んでもよい。プローブ１０２および／またはサンプルプレート１２０は、他方に対して、例えば、ｘ、ｙ、およびｚ平面内で、回転などで移動してもよい。これにより、サンプルをプローブ１０２に対して位置決めして、サンプルの特定の位置で光学分析、例えばラマン分光法、ＩＲ分光法、ＵＶ−Ｖｉｓ分光法などを実行することが可能になる。
【００４１】
一態様では、サンプルプレート１２０は、サンプルの異なる部分、異なるサンプルなどをプローブ１０２を介して分析用に提示できるように、プローブ１０２に対して、例えば、ｘ軸、ｙ軸、ｚ軸上を、回転するなどして移動することが可能である。一例では、サンプルプレート１２０およびプローブ１０２の位置を決定することができる。サンプルが光学検査に適切に方向付けられていることを判断するために陽電子を使用することが可能である。いくつかの例示的な実行形態において、サンプルプレート１２０はマルチウェルプレートを含むことができる。これにより、マルチウェルプレートの１つまたは複数のウェルのサンプルを分析することが可能になる。
【００４２】
いくつかの実行形態において、開示された主題は、サンプルの光学調査の位置を変更できることを企図している。一態様では、サンプルに対してプローブ１０２を移動し、プローブ１０２に対してサンプルを移動し、またはサンプルとプローブ１０２の両方を互いに対して移動することによってこれを達成することが可能である。この開示では、他の相対的な動きを除外するものとして明示的に開示されている場合を除き、サンプルの移動の説明は、これらの手法または他の手法、例えば、プローブ１０２またはサンプルの動きなどの有無にかかわらず検証光エネルギーの焦点位置を変更することによって達成できる。 実際、本開示は、部分的に、開示されたデバイスまたはシステムの囲まれた領域内のサンプルの異なる部分の分析に関する。一例として、サンプルが液体であり、プローブ１０２が液体に浸漬される場合、例えば、その場分析では、サンプル内のプローブ１０２のチップを動かし、プローブ１０２の周りでサンプルを動かし、プローブ１０２とサンプルの両方を動かし、サンプルおよび／またはプローブ１０２を動かすか動かさないに関係なくサンプルの異なる領域をサンプリングするために検証レーザの焦点距離を変え、サンプルをプローブ１００２を通過して流す等により、少なくともサンプルの異なる部分を分析することが可能である。
【００４３】
いくつかの実行形態において、（少なくとも一方向の）サンプルプレート１２０の移動は、（並進機構に連結されたダイヤルなどの）調整機構１２９によって実行することが可能である。サンプルプレート１２０の動き（例えば、ｚ軸に沿った並進運動）を発生させために蓋１１４が開位置にある間、調整機構１２９はオペレータによって使用（例えば、操作、回転など）することが可能である。これにより、プローブ１０２に対するサンプルの便利で正確な位置決めが可能になり、蓋１１４を閉じた後にサンプルの位置が変わらないことが保証される。ベンチトップ分析装置１００のコンプライアンスコンポーネントは、本明細書に記載の様々な技術を使用して、筐体１１０が閉じているかどうか、および／またはプローブ１０２がサンプルプレート１０２に置かれたサンプルと接触しているかどうかを判定することができる。一態様では、分析のためにサンプルの異なる部分、異なるサンプルなどにアクセスできるように、プローブ１０２は、サンプルプレート１２０に対して、例えば、ｘ軸、ｙ軸、ｚ軸上を、回転するなどして移動することが可能である。筐体１１０は、サンプルプレート１２０の縁を越えてこぼれるサンプルのいずれかをキャッチまたは収集するためにサンプルプレート１２０の下に配置されたスピルトレイ１３１をさらに含んでもよい。この流出トレイ１３１は、そこに収集された内容物（例えば、流出したサンプル）を廃棄するために取り外し可能であってもよい。
【００４４】
図２は、主題の開示の態様に従って、図１で紹介したベンチトップ分析装置１００の例示的な筐体１１０の側面図および正面図を示す。（図２の左側に示されている）側面図は、蓋１１４が完全に開いて筐体１１０の内部が見える開状態の筐体１１０を示している。（図２の右側に示されている）正面図はまた、蓋１１４が完全に開いて筐体１１０の内部が見える開状態の筐体１１０を示している。
【００４５】
図２に示されるように、筐体１１０の本体１１６上のレール２１７により、サンプルプレート１２０をその上に取り付けることが可能になり、サンプルプレート１２０が正または負のｚ方向（すなわち上下）に並進移動することが可能になる。サンプルプレート１２０を位置決めするようにそのような大規模な位置調整を行うために筐体１１０が開かれている間、調整機構１２９はオペレータによって使用されてもよく、その結果プローブ１０２が少なくともサンプルプレート１２０によって支持されるサンプルに（例えば、数ミリメートル以内に）接近する、または接触する。筐体１１０を閉じた後、オペレータは、必要に応じて、サンプルプレート１２０および／またはプローブ１０２のいずれかまたは両方に対して微調整または小規模な調整を行うことができる。オペレータは、サンプルプレート１２０および／またはプローブ１０２の動きを少しずつ制御するリモートまたは外部制御機構を利用してもよい。一例では、オペレータは、外部調整制御、撮像コンポーネント、および／または照明コンポーネントなどを使用してサンプルポート１２０およびプローブ１０２の相対位置を調整しながら、ビューポート１５０を通して見ることができる。図２は、光学調査中にサンプルインターフェースでサンプルと接触するプローブ１０２の最遠位部分によってサンプルの接触型光学調査を実行するように構成されたプローブ１０２を有する例示的な筐体１１０を示す。筐体１１０を含むベンチトップ分析装置１００は、オペレータによって任意の適切な場所に移動され、サンプルの光学分光法を実行するために利用され、ベンチトップ分析装置１００のオペレータに便利な携帯性を提供する。
【００４６】
図３は、別の実行形態による例示的なベンチトップ分析装置３００の斜視図を示す。ベンチトップ分析装置３００は、開状態または閉状態のいずれかであり得る筐体３１０を含み得る。筐体３１０は、本開示の態様に従って、サンプルおよびプローブ３０２を囲んでもよい。筐体３１０は、ベンチトップ分析装置３００（例えば、ラマン分光法を実行するための分析機器）の少なくとも一部を表してもよい。筐体３１０は、蓋３１４および本体３１６を含んでもよい。蓋３１４は、本体３１６に対して、開位置と閉位置との間で移動可能であってもよい。蓋３１４を図１の左側に開いた位置に示し、また図１の右側に閉じた位置に示す。二部ラッチ機構は、蓋３１４上の第１のラッチコンポーネント３１８（１）、および本体３１６上の第２のラッチコンポーネント３１８（２）を含んでもよく、これらのラッチコンポーネント３１８は、蓋３１４が閉位置に移動したときに係合する。二部ラッチ機構３１８または筐体３１０上の他の場所に配置された接触センサは、いつ筐体３１０が閉じられたかを決定してもよく、接触センサは、ベンチトップ分析装置３００のコンプライアンスコンポーネントに指示を提供して、サンプルに対して光学分光法を実行するためにプローブ３０２を介して光エネルギーを放出する前に筐体３１０が動作可能な構成にあるというコンプライアンス規則にいつ筐体３１０が準拠しているかということを示してもよい。本明細書で説明するように、サンプルの分析を進める前に筐体３１０が動作可能な構成にあるというコンプライアンス規則は、光学分光法の実行を進める前に同時に満たされるコンプライアンス規則の群の１つでもよい。
【００４７】
筐体３１０の本体３１６は、筐体３１０内のサンプルのラマン分析の結果を処理／分析するラマン分光計の構成要素など、システムのさまざまな構成要素および電子機器を含んでもよい。筐体３１０は、オペレータがサンプルの分析を実行できるように構成されたベンチトップ分析装置３００の一部であってもよい。例えば、筐体３１０を、ユーザインターフェース制御および分析結果（例えば、ラマンスペクトル、サンプル決定など）の提示のためのディスプレイを有するコンピュータに通信可能に（有線または無線で）結合してもよい。いくつかの実行形態において、そのようなコンピュータは、筐体３１０の本体３１６に統合または埋め込むことができ、筐体３１０は埋め込みディスプレイを含んでもよい。
【００４８】
筐体３１０は、オペレータが筐体３１０の電子機器（および一般にベンチトップ分析装置３００の電子機器）の電源を入れるために作動（例えば、押す）ことができる電源ボタン３７０などの様々な入力および／または出力コンポーネントを含んでもよい。筐体３１０は、電源がオンであることを示したり、サンプル分析が進行中であることを示したり、筐体３１０が動作可能な構成などにあることを示すなどのような様々な事柄を示す１つまたは複数のＬＥＤインジケータ３８０をさらに含んでもよい。
【００４９】
プローブ３０２を、本体３１６に取り付け、上向きの方向に向けてもよい。すなわち、プローブ３０２は、励起源から正のｚ方向（または上方向）に到来するレーザ光を誘導し、サンプルから負のｚ方向に反射した散乱光を収集する光学素子（レンズなど）を含むことによって、図３に示されるように正のｚ方向を指してもよい。プローブは、サンプルの非接触型光学調査を可能にするための（例えば、プローブ３０２のチップからの決められた距離である入射ビームの焦点を作成することにより）非球面レンズ（例えば、レンズの最遠点に平坦な表面を有するレンズ）を含む。
【００５０】
プレート保持領域３２８は、筐体３１０の本体３１６内に限定してもよく、プローブ３０２を囲んでもよい。プレート保持領域３２８は、本体３１６の周辺の最高点からプローブ３０２に隣接する最低点まで下向きに（すなわち、負のｚ方向に）傾斜する傾斜面を有してもよい。プレート保持領域３２８のこの傾斜した輪郭は、様々なデザイン／形状などのサンプルプレートをプレート保持領域に配置することを可能にし、また、サンプルプレートがプレート保持領域３２８に配置されるときにプローブ３０２のチップとサンプルとのある程度の分離を（もし分離が必要とされるならば）提供することを可能にする。
【００５１】
図４は、本開示の態様による、例示的な筐体４１０、および筐体４１０内に配置される例示的なサンプルプレート４２０（１）の斜視図を示す。筐体４１０は、図３を参照して説明したプレート保持領域３２８と同一または類似のプレート保持領域４２８を有してもよい。プレート保持領域４２８を、第１のサンプルプレート４２０（１）、第２のサンプルプレート４２０（２）などの様々なサンプルプレート４２０（一度に１つ）や、お互いに交換されてもよく、筐体４１０内に配置され得る任意の数の「Ｎ」個のサンプルプレート４２０（１）−（Ｎ）などの場合により追加されるサンプルプレート４２０を受け入れるように構成（例えば成形）してもよい。したがって、プローブ４０２を介してサンプルの調査のためにサンプルを支持するために、サンプルプレート４２０を筐体４１０の本体４１６上およびプレート保持領域４２８内に配置してもよい。個々のサンプルプレート４２０は、形状が長方形であり、サンプル（例えば、パッケージ内の液体サンプル）を支持するように構成されてもよい。個々のサンプルプレート４２０は、身体上およびプレート保持領域４２８内にしっかりと適合するように、プレート保持領域４２８の形状と同様に成形されてもよい。図４は、筐体４１０の長方形プレート保持領域４２８に配置される複数の長方形サンプルプレート４２０の例を示しているが、長方形以外の任意の適切な形状をサンプルプレート４２０およびプレート保持領域４２８に利用できることを理解されたい。
【００５２】
さらに、開口部４２３（１）をサンプルプレート４２０（１）に限定してもよい。開口部４２３（１）を、サンプルプレート４２０（１）が筐体４１０内に配置されたときにプローブ４０２と（垂直、ｚ方向に）整列するサンプルプレート４２０（１）上の位置に限定してもよい。開口部４２３（２）を、同様の方法でサンプルプレート４２０（２）に限定してもよい。サンプルプレート４２０（１）などのサンプルプレートを筐体４１０に配置すると、プローブ４０２は、サンプルプレート４２０（１）の開口部４２３（１）内に挿入（または配置）される。さらに、サンプルプレート４２０（１）を筐体４１０内に配置すると、サンプルプレート４２０（１）の開口部４２３（１）の上、およびサンプルプレート４２０（１）の上側にサンプルを配置することができる。このようにして、（垂直に向けられ、上向き（すなわち、正のｚ方向を指す）プローブ４０２は、サンプルプレート４２０（１）がプレート保持領域４２８内の筐体４１０の本体４１６に配置されるときにサンプルの下からサンプルを調べてもよい。図４に示す例示的な構成では、オペレータは、サンプルが開口４２３（１）上に配置され、またサンプルが重力によりサンプルプレート４２０（１）に対して所定の位置に保持されるように、サンプルプレート４２０（１）上にサンプル（例えば、パッケージに含まれる医薬品）を都合よく配置することができる。 そしてオペレータは筐体４１０の蓋４１４を閉じてもよく、筐体４１０が閉じている間にプローブ４０２を介してサンプルにレーザ光を向け、プローブ４０２を介して散乱光を収集することによって（例えば、コンプライアンスコンポーネントが蓋４１４は閉位置にあると判断した後）分析を進めてもよい。
【００５３】
図５を端的に参照すると、サンプルプレート５２０の断面線Ａ−Ａに沿った断面図が示されており、サンプルプレート５２０がベンチトップ分析で実装されるとき、およびサンプル５９０がサンプルプレート５２０上に置かれるときのように、サンプルプレート５２０の開口５２３を通してプローブ５０２が配置される。図５に示されるように、プローブ５０２は、プローブ５０２の最も遠位の端部から決定された距離である焦点５９５で正のｚ方向にレーザ光を向けてもよい。図５の例は、透明なサンプルパッケージ５９８に含まれる液体サンプル５９０を示す。これは、透明なプラスチックパッケージ５９８内に液体サンプル５９０を含むパッケージ化された医薬品を表している。これは、サンプルパッケージ５９８がプローブ５０２と接触しているために、サンプル５９０がプローブ５０２と接触しているとみなされる例でもある。したがって、本明細書で使用する「プローブ５０２と接触しているサンプル５９０」は、図５に示す構成として解釈することができる。レーザ光５４０の励起ビームの焦点５９５は、（サンプルパッケージ５９８自体を調べるよりもむしろ）パッケージ内のサンプル５９０を調べるようにするためにサンプルパッケージ５９８内の点にあってもよい。サンプルプレート５２０の表面の傾斜した輪郭は、例えば、焦点５９５がサンプルパッケージ５９８内のエアポケット内の点の代わりにサンプル５９０内の点にあることを保証するのに役立つ。すなわち、上向きの傾斜により、エアポケット／気泡がサンプルパッケージ５９８の側面または端部に移動し、それにより開口部５２３の位置にわたって（したがって、プローブ５０２にわたって）サンプル５９０（たとえば液体サンプル５９０）の深さ／高さが最大化される。サンプルパッケージ５９８の透明性により、レーザ光５４０は、パッケージ材料自体に励起ビームを集束させるよりもむしろ、サンプルパッケージ５９８を通過し、焦点５９５でサンプルパッケージ５９８内のサンプル５９０の分子を励起させる。開口部５２３を有するサンプルプレート５２０が図に示されているが、サンプルプレートを介した光学調査を可能にするために透明であるなどにより、開口部のないサンプルプレートを利用できることを理解されたい。この場合、プローブ５０２は、図５に示すように、プローブ５０２のチップがサンプルプレート５２０の上面の上に延びることができるサンプルプレートを通るよりもむしろ、サンプルプレートの下側に配置される。
【００５４】
図５はまた、サンプルプレート５２０の周辺の最高点５２１から開口部５２３に隣接する場所（したがって、サンプルプレート５２０がプレート保持領域４２８内の筐体４１０の本体４１６上に配置されるときにプローブ５０２に隣接する場所）の最低点５２７まで傾斜する傾斜（上部）表面をサンプルプレート５２０が有する方法を示す。さらに、上述のように、プローブ５０２のチップは、サンプルプレート５２０がプレート保持領域４２８内の筐体４１０の本体４１６上に配置されたときに、サンプルプレート５２０の傾斜面の最下点５２７より上に延びてもよい。そのため、サンプル５９０（または、より詳細には、サンプル５９０を含むパッケージ５９８）は、サンプル５９０が開口部５２３上のサンプルプレート５２０の上側に配置されるとき、プローブ５２０のチップに接触してもよい。他の構成において、プローブ５０２のチップは、サンプルプレート５２０の傾斜面の最下点５２７を超えて延長しなくてもよい。例えば、プローブ５０２のチップは、サンプルプレート５２０の傾斜面の最下点５２７と同一平面にあるレベルで、またはサンプルプレート５２０の傾斜面の最下点５２７より下で末端としてもよい。これらの構成では、サンプル５９０がサンプルプレート５２０上に置かれたとき、およびサンプルプレート５２０が筐体４１０のプレート保持領域４２８内に置かれたとき、プローブ５０２のチップはサンプル５９０（または、具体的には、サンプル５９０を含むパッケージ５９８）に接触しなくてもよい。
【００５５】
再び図４を参照すると、一例では、複数の交換可能なサンプルプレート４２０（１）ないし（Ｎ）が示されている。図示されるように、第２のサンプルプレート４２０（２）は、平坦な表面に限定された凹部領域４２５を備えた平坦な表面を含む。サンプルプレート４２０（２）の平坦な表面上に限定された凹部領域４２５は、特定のタイプのサンプル（例えば、特定の形状を有するパッケージに含まれるサンプル）を受け入れるように成形されてもよい。たとえば、サンプルはさまざまな形状の容器に梱包されてもよい。例示的な例では、液体医薬品を、静脈内（ＩＶ）バッグ、注射器、または他の任意の適切なタイプの容器、パッケージ、またはデバイス内に包装することが可能である。したがって、第１のサンプルプレート４２０（１）は、ＩＶバッグを収容するように構成されてもよく、一方、第２のサンプルプレート４２０（２）は、シリンジを収容するように成形された凹部領域４２５を含んでもよい。サンプルプレート４２０の例は、傾斜面（例えば、サンプルプレート４２０（１））またはサンプルプレート４２０（例えば、サンプルプレート４２０（２））の平坦な表面に限定された凹部領域４２５を有するものとして示されているが、少なくともいくつかの態様において、サンプルプレート４２０は、凹部領域のない平坦な表面、または傾斜していない表面（すなわち、実質的に平坦な表面）を有してもよい。これらの態様において、実質的に平坦な表面を有するサンプルプレート４２０は、プローブ４０２がサンプルを分析できる開口部４２３をさらに含んでもよい。
【００５６】
第２のサンプルプレート４２０（２）はまた、シリンジ内のサンプルが開口部４２３（２）の上に位置決めされることが可能となるようにサンプルを含むシリンジの位置を調整するためにオペレータが操作できる複数の位置決めブロック４２７（１）および４２７（２）を含むものとして示される。位置決めブロック４２７（１）および４２７（２）は、磁気結合機構、ダブテールスロットなどを使用することなどにより、サンプルプレート４２０（２）にスライド可能に結合または係合してもよい。このようにして、第１のサンプルプレート４２０（１）を筐体４１０内に配置して、ＩＶバッグに包装された液体サンプルを調べることにより第１の分析を実行することができる。続いて、オペレータは、第１のサンプルプレート４２０（１）を筐体４１０から取り外し、第２のサンプルプレート４２０（２）と交換して、シリンジに包装された液体サンプルを調べることができる。さらに、いくつかの実行形態において、ベンチトップ分析装置のコンプライアンスコンポーネントは、分析を進める前に（正しい）サンプルプレート４２０が筐体４１０内に配置されているかどうかを判定するために、サンプルプレート４２０の存在を確認できる。コンプライアンスコンポーネントは、追加手段として、または代替手段として、サンプルの存在をチェックして、分析を進める前に（正しい）サンプルが筐体４１０内に配置されているかどうかを判断してもよい。例示的な例では、オペレータは、ユーザインターフェースへのユーザ入力を介して、ＩＶバッグに包装されたサンプルを分析したいことを示してもよい。ＩＶバッグに包装されたサンプルを収容するように構成された第１のサンプルプレート４２０（１）を、機械可読コード（例えば、サンプルプレート４２０（１）に印刷されたコード）に関連付けてもよい。筐体４１０内に正しいサンプルプレート４２０（１）を配置すると、筐体４１０のコードリーダは機械可読コード（例えば、バーコード、クイックレスポンス（ＱＲ）コードなど）を読み取り、コードがＩＶバッグの包装に対応するコードと一致するかどうかを判断してもよい。この情報をコンプライアンスコンポーネントが使用して、サンプルプレート４２０（１）が正しいサンプル提示コンポーネント４２０であることによりコンプライアンス規則に準拠しているかどうかを判断してもよい。他の実行形態において、センサ（例えば、光学検出器など）は、サンプルプレート４２０（例えば、任意のサンプルプレート）が分析が進む前に筐体４１０内に配置されるというコンプライアンス規則を満たす目的で、筐体４１０内のサンプルプレート４２０の存在を検出するように構成されてもよい。重量センサまたは圧力センサを使用して、本明細書で説明する１つまたは複数のコンプライアンス規則を満たすために、サンプルプレート４２０（１）および／またはサンプルが筐体４１０内に配置されたかどうか、およびいつ配置されたかを決定してもよい。いくつかの実行形態において、サンプルプレート４２０は、大規模な製造（例えば、射出成形による）が容易で費用効果の高い比較的安価なプラスチックまたは堆肥化可能な材料で作られるなどの、使い捨てまたは単一目的のサンプルプレート４２０である。使い捨てサンプルプレート４２０を、化学療法薬が分析されている状況など、無菌性と清浄度が最も重要な環境で使用してもよい。
【００５７】
ベンチトップ分析装置３００は、包装を通して（光学分光法を実行することにより）サンプルを分析するために最適化されてもよい。したがって、典型的に容器／包装に包装されるサンプルは、サンプル５９０をそのサンプルパッケージ５９８から取り出すことなく筐体３１０／４１０内に配置することができる。これは、透明なパッケージ内の薬剤や医薬品の分析、透明なパッケージに包装された飲食物の分析など、特定の設定でベンチトップ分析装置３００／４００を使用するオペレータにとって都合が良い。筐体３１０／４１０はまた、オペレータが１つの場所から別の場所に簡単に移動できるため、任意の適切な場所（病院、薬局、レストラン、製造工場など）でサンプルの分光分析を行うのに便利である。
【００５８】
図６は、本開示の態様による、サンプルとプローブとのインターフェースの密閉を促進するシステム６００の図である。システム６００は筐体６１０を含むことが可能である。筐体６１０は、サンプルとプローブ６０２の間のインターフェースを密閉することができる。いくつかの実行形態において、筐体６１０は、プローブ６０２およびサンプル提示コンポーネント６２０を密閉することができる。プローブ６０２およびサンプル提示コンポーネント６２０は、コンプライアンスコンポーネント６１２に通信可能に結合することができる。いくつかの実行形態において、筐体６１０は、ベンチトップ分析装置の一部として、テーブル、ベンチなどの表面上に載るように構成することができ、プローブ６０２およびサンプル提示コンポーネント６２０を支持してもよく、オペレータが筐体６１０の一部を開いてサンプルプレゼンテーションコンポーネント６２０にサンプルを配置するのを可能にし、その結果筐体６１０内のサンプルを分析するためにプローブ６０２を使用することができ、たとえば、筐体６１０は密閉型ベンチトップラマン分光計またはその一部などでもよい。
【００５９】
いくつかの実行形態において、プローブ６０２はサンプルを調べる分析機器用のインターフェースを含むことができ、例えば、ラマン分光計機器において、プローブ６０２はサンプルに光エネルギーを向けることができる。いくつかの実行形態において、プローブ６０２は、サンプルに光エネルギーを向けるレンズなどの光学素子を含むことが可能である。一例では、プローブ６０２の光学素子は、遠方からのサンプルの非接触型光学調査を促進するためにサンプルに光エネルギーを向けるように構成され、例えば、入射ビームの焦点は、プローブ６０２のチップからの定められた距離である。例えば、開口部を（サンプル提示コンポーネント６２０の実行形態である）サンプルプレートに限定してもよく、プローブ６０２を開口部内に配置してもよい。サンプルを開口部の位置のサンプルプレートの上側に配置することが可能である。このようにして、プローブ６０２は、サンプルの下からサンプルに光エネルギーを向けるように構成される。いくつかの構成では、光学分光法でプローブがサンプルに接触する必要がない場合でも、サンプルの光学分光法の間にプローブ６０２はサンプルに接触してもよい（本明細書に記載した通り、サンプルが透明なパッケージ内に含まれる場合にサンプルのパッケージへの接触を含む）。例示的な構成では、サンプルをサンプルプレート上に配置し、重力および／またはサンプルプレートの傾斜面、またはサンプルプレートの表面に限定された凹部領域４２５によってサンプルプレートに対して所定の位置に保持することができる。
【００６０】
いくつかの実行形態において、プローブ６０２は、光学調査中にサンプルと接触しているプローブ６０２の最も遠位の部分により、サンプルの接触型光学調査を促進する。サンプルの接触型光学調査を促進する例示的なプローブ６０２は、球面レンズを有するプローブである。一例では、球形光学素子（またはレンズ）は、サンプルがプローブ６０２の最も遠位の点に接触する、球形光学素子とサンプルとの界面に位置する入射光ビームの焦点を作成する。球面光学素子は、ＢａｌｌＰｒｏｂｅ（登録商標）（ワシントン州シアトルのマークメトリクス社製）とすることが可能である。ＢａｌｌＰｒｏｂｅ（登録商標）によりラマン分光分析を実現可能である。一態様では、ＢａｌｌＰｒｏｂｅ（登録商標）は、プローブ６０２を介してその場のラマン分光分析を可能にする。ＢａｌｌＰｒｏｂｅ（登録商標）を含むベンチトップ分析装置の例では、ＢａｌｌＰｒｏｂｅ（登録商標）をサンプルに浸したり挿入したりして、サンプルなどに対してラマン分光分析を実行し、前記サンプルの分析調査を開始することが可能である。
【００６１】
一般に、プローブ６０２は、ラマンスペクトルを捕捉することが可能となるようにサンプル中の分子の原子結合を励起するサンプル、例えば、サンプル調査からの応答の分析調査を促進することができる。その後、ラマンスペクトルを分析することが可能である。ラマンスペクトルの分析は、参照ラマンスペクトルに基づいて行うことが可能である。注目すべきことに、「分光法（スペクトロメトリ）」と「分光法（スペクトロスコピ）」という用語は、わずかに異なる意味合いを持ちうるが、本技術分野ではしばしば互換的に使用される。「分光法（スペクトロメトリ）」という用語は、サンプルの調査を介して引き出されるスペクトル情報に基づいて結果の捕捉、分析、および生成に関して本開示で使用されるが、「分光法（スペクトロメトリ）」はこの点に関してより正しい用語であると信じられている。しかしながら、「分光法（スペクトロメトリ）」という用語は、本開示においてより狭いまたは異なる意味を有すると明示的に示されない限り、関連技術の当業者によって使用される「分光法（スペクトロスコピ）」という用語の一般的な意味を含むものとして扱われる。
【００６２】
一態様では、プローブ６０２の実行形態は、予想されるサンプル環境に適したほぼ任意の材料で構築することができる。プローブには、ポリプロピレン（ＰＰ）、ポリエチレンテレフタレート（ＰＥＴ）、シリコン、ポリテトラフルオロエチレン（ＰＴＦＥ）などの適切なポリマーを含めることが可能である。プローブには、ステンレス鋼、金、または他の金属；ホウケイ酸塩または他のガラス；澱粉または他の炭水化物など；または特定のサンプル環境に適した他のほぼすべての材料などの他の材料が含まれるが、これらに限定されない。さらに、材料を機械加工、焼結、鋳造、射出成形、３Ｄ印刷などして、例えばプローブの本体、光学素子シート、シュラウドなどを形成することができる。さらに、いくつかの実行形態において、光学素子は「球面」でもよく、成形プロセスの一部として別個に製造されるか本体に追加され、接着剤で結合され、摩擦または圧入で取り付けられ、機械的に捕捉されることがある。他の実行形態において、「球面」光学素子は、成形プロセスの一部として本体と一致させることができ、例えば、球面光学素子は射出成形により取り外し可能な光学アセンブリを用いて同じまたは異なる材料で形成することができ、また3D印刷により取り外し可能な光学アセンブリを用いて同じまたは異なる材料で形成することが可能である。加えて、取り外し可能な光学アセンブリの本体と同じまたは異なる材料を含む、ほぼすべての適切な材料から「球面」光学部品を製造することができる。適切な材料の非限定的な例には、特定のシナリオに適した光学特性に応じて、ポリマー、ガラス、鉱物などが含まれる。注目すべきは、本明細書で使用される「球面」光学素子または同様の用語は、一般に、球面またはほぼ球面の幾何学形状を有する光学素子、例えばレンズなどを意味する。さらに、本明細書で使用される「球面光学素子」という用語は、球体の少なくとも一部を近似する曲面を含む光学素子の一部を介して光を伝導する任意の光学素子も含み、例えば、光学ガラスの球面が内部に向かって削られて浅い赤道溝が形成されて保持リングなどを捕捉する場合、光が赤道以外の部分を入る／出る限り、本開示の文脈において、結果として生じる光学素子はなお球面光学素子とみなされる。別の例として、射出成形された球面光学素子は、例えばスティック上のロリポップに似た突起を含むことができ、本開示の文脈内では、球面光学素子とみなされる。さらなる例として、２つの個々の半球形部分を含む光学素子も、本開示の範囲内の球面素子と見なすことができる。本明細書で説明するように、プローブ６０２のレンズ光学素子は球面とは異なる形状であってもよいことを理解されたい。例えば、遠方からのサンプルの非接触型の光学的調査では、プローブチップの最遠点に実質的に平坦な表面を有するレンズなどの非球面光学素子（例えば、レンズ）をプローブ６０２で利用してもよい。
【００６３】
サンプル提示コンポーネント６２０は、サンプル（例えば、図４に示されるサンプルプレート４２０の傾斜面および／または凹部領域４２５）を保持することが可能なサンプル保持部を含むことができる。一態様では、サンプル提示コンポーネント６２０は、サンプルステージまたはプレートの制御された動きを可能にする調整機構を含むことができる。さらなる態様では、サンプル提示コンポーネント６２０は、サンプルステージまたはプレートによって支持されるサンプルとの相互作用の検出を可能にする感知コンポーネントを含むことができる。別の態様では、サンプル提示コンポーネント６２０は、保持のためのサンプルの配置を可能にするサンプル配置部を含むことができる。例として、サンプル提示コンポーネント６２０は、液体フローセル、ガスフローセル、サンプルステージ、サンプルプレートなどでもよい。他の例として、サンプル提示コンポーネント６２０は、マルチウェルプレートをサンプルステージに接続できるマルチウェルプレートコネクタを備えたサンプルステージまたはプレートであり得る。この例示的なサンプルステージまたはプレートは、いくつかの実行形態では、サンプルステージまたはプレートを移動させることができる移動コンポーネントに接続することができ、それによりプローブ６０２に対してマルチウェルプレートを移動させることができる。これにより、マルチウェルプレートの１つまたは複数のウェルのサンプルを順次分析することが可能になる。一態様では、気体または液体のいずれかのフローセルをマニホルド化して、複数の気体／液体ストリーム、たとえば複数のサンプル入力、試薬入力、洗浄剤入力などの処理を可能にする。サンプル提示コンポーネント６２０は、その中に限定された開口部、および開口部の周りの傾斜面または陥凹領域を有するサンプルプレートを含んでもよい。サンプルプレートの凹部領域は、対応する形状を有するサンプルパッケージを受け入れるように形作られ、パッケージを通してサンプルを調べることができる。
【００６４】
筐体６１０は、オペレータと、サンプルとプローブ間の界面とを光学的に分離することができる。これにより、オペレータがインターフェース領域から漏れる可能性のある光エネルギーにさらされるリスクを減らすことができる。さらに、筐体６１０は、インターフェースに入る周囲光を減らすことができ、それにより、ベンチトップ機器の光学検出器に到達する迷光に起因する分析のエラーを減らすことができる。
【００６５】
コンプライアンスコンポーネント６１２は、筐体６１０、プローブ６０２、およびサンプル提示コンポーネント６２０のうちの１つまたは複数に通信可能に結合することができる。コンプライアンスコンポーネント６１２は、システム６００の態様に関連するコンプライアンス規則を受信することができる。コンプライアンスコンポーネント６１２は、コンプライアンス規則が満たされていることを決定できる。一態様では、コンプライアンスコンポーネント６１２は、システム６００の態様に関連するコンプライアンス規則の群との同時コンプライアンスを決定することができる。一例として、コンプライアンスコンポーネント６１２は、プローブ６０２の側面、サンプル提示コンポーネント６２０の側面、および筐体６１０の側面が同時に準拠していることを決定することができる。より詳細な例として、プローブ６０２は、取り付けられたプローブが指定された分析プロファイルに適合するかどうかの判断に基づいて準拠していると判断され、サンプル提示コンポーネント６２０は、サンプル提示コンポーネント６２０上または中でサンプルとの接触がなされたことの検出に基づいて準拠していると判断され、筐体６１０は、筐体６１０が閉じられたときの検出に関連するセンサからの出力に基づいて準拠していると判断され、その結果コンプライアンスコンポーネントは、同時に、正しいプローブがオンであり、筐体は閉じられており、プローブ６０２はサンプル提示コンポーネント６２０のサンプルと接触しているということを判定することが可能である。別の例として、サンプル提示コンポーネント６２０は、交換可能なサンプルプレートの形態であってもよく、それにより、オペレータは、筐体６１０からサンプルプレートを取り外し、別のサンプルプレートと交換することができる。いくつかの実行形態では、コンプライアンスコンポーネント６１２は、筐体６１０が閉じていることを判定し、同時にサンプル提示コンポーネント６２０の存在および／またはサンプルがサンプル提示コンポーネント６２０の上または中に置かれていることを確認することができる。いくつかの実行形態において、コンプライアンスコンポーネント６１２は、特定タイプのサンプルのオペレータの入力が与えられると、正しいサンプル提示コンポーネント６２０が筐体内にあるかどうかを判定してもよい。例えば、交換可能なサンプルプレートは、サンプルプレートがオペレータによってシステム６００に入力されたパッケージタイプと一致するかどうかを判断するために読み取られる機械可読コードを有してもよい。コンプライアンスコンポーネント６１２は、追加手段として、または代替手段として、分析を進める前にサンプルがサンプルプレート上に置かれたことを重量センサから決定してもよい。
【００６６】
いくつかの実行形態において、コンプライアンスコンポーネント６１２は、１つまたは複数のコンプライアンス規則のコンプライアンスの決定に関するデータへのアクセスを可能にし、例えば、オペレータは筐体が「閉鎖された」と示していないことを示す情報にアクセスでき、プロセッサを含むシステムは、どのプローブがプローブ６０２などに取り付けられていると思われるかを示す情報を受信できる。
【００６７】
別の態様において、コンプライアンスコンポーネント６１２は、サンプルの調査を進めることを可能にすることができ、例えば、サンプルへの光エネルギーの放出は、コンプライアンス規則の群の１つ以上の規則が（同時に）満たされると決定するコンプライアンスコンポーネント６１２に応答して実行することができる。この態様は、例えば、筐体が適切に閉じられていない場合、間違ったプローブが取り付けられている場合、プローブが適切な位置にない／サンプルと接触していない場合などに、レーザエネルギーの放出の機会を減らすことができる。さらに、この態様はトリガーとして機能することが可能で、コンプライアンス規則の群のコンプライアンス規則が同時コンプライアンスに向かって進むと、ラマン分光計はサンプルを調査する準備ができているが、即席のコンプライアンスコンポーネント６１２がコンプライアンス規則の同時満足があると判断するまではそれをできない。１つまたは複数の規則が非準拠になるさらなる態様では、コンプライアンスコンポーネント６１２は、同時コンプライアンスが発生していないと判断でき、光エネルギーの放出の有効化を停止でき、例えば、コンプライアンスコンポーネント６１２は、コンプライアンス規則の群の中のひとつのコンプライアンス規則によって表されるシステム６００の条件が満足から不満足に移行する場合にサンプルの調査を中断または終了することができる。例として、筐体が開いている場所、プローブがサンプルと接触していない場所などで、光エネルギーの放出を停止することが可能である。
【００６８】
図７は、本開示の態様による、筐体を含む光学分析装置のサンプルとプローブとのインターフェースの間接的な監視を促進することが可能なシステム７００の図である。システム７００は筐体７１０を含むことが可能である。筐体７１０は、サンプルと分析機器間のインターフェースを密閉することができる。いくつかの実行形態において、筐体７１０は、プローブ７０２およびサンプル提示コンポーネント７２０を密閉することができる。プローブ７０２およびサンプル提示コンポーネント７２０は、コンプライアンスコンポーネント７１２に通信可能に結合され得る。
【００６９】
いくつかの実行形態において、プローブ７０２は、サンプルに光エネルギーを向けるための光学素子を含むことが可能である。いくつかの実行形態において、サンプルに光エネルギーを向ける光学素子は、球面光学素子を含むことができる。球面光学素子は、プローブ７０２を介したラマン分光分析を可能にするＢａｌｌＰｒｏｂｅ（登録商標）であってもよい。プローブ７０２を含む例示的なベンチトップ分析装置は、プローブ７０２の一部をサンプルに浸したり挿入したりして、サンプルなどに対してラマン分光分析を実行し、前記サンプルの光学調査を開始することができる。
【００７０】
いくつかの実行形態において、サンプル提示コンポーネント７２０は、プローブ７０２を介して調査のためのサンプルを提示することができる。一態様では、サンプル提示コンポーネント７２０は、サンプルの異なる部分、異なるサンプルなどをプローブ７０２を介して分析用に提示できるように、プローブ７０２に対して、例えば、ｘ軸、ｙ軸、ｚ軸上を、回転するなどして移動することが可能である。サンプル提示コンポーネント７２０およびプローブ７０２の位置は、例えば、コンプライアンスコンポーネント７１２を介して、サンプル提示コンポーネント７２０を介して、接続されたコントローラ／コンピュータなどを介して決定され得る。サンプルが光学検査に適切に方向付けられていることを判断するために陽電子を使用することが可能である。ＢａｌｌＰｒｏｂｅ（登録商標）が使用される態様では、接触ラマン分光法を実行でき、たとえば、球面光学素子を直接サンプルに対して、またはサンプル内に配置して、サンプルを調べることができる。接触ラマンでは、ＢａｌｌＰｒｏｂｅ（登録商標）がサンプルに接触して、好ましくは、接触によるＢａｌｌＰｒｏｂｅ（登録商標）への損傷なしに分析が可能となるように、プローブ７０２とサンプルの間の位置を、プローブ７０２とサンプルの間に加えられる圧力に基づいて、例えばサンプル提示コンポーネント７２０で測定されるなどして決定することができる。いくつかの実行形態において、サンプル提示コンポーネント７２０は、液体フローセル、ガスフローセル、サンプルステージなどを含むことができる。いくつかの実行形態において、サンプル提示コンポーネント７２０は、サンプルプレートを含むことができる。いくつかの例示的な実行形態において、サンプル提示コンポーネント７２０は、マルチウェルプレート、例えば３８４、９６、４８、２４、１２、６ウェルプレートサンプル容器などを含むことができる。これにより、マルチウェルプレートの１つまたは複数のウェルのサンプルを分析することが可能になる。
【００７１】
筐体７１０は、オペレータと、サンプルとプローブ７０２間のインターフェースとを光学的に分離することができる。これにより、光放射、例えば、散乱光や反射レーザ光などをブロックまたは減衰させることによってオペレータの安全性を向上させることが可能となる。さらに、筐体は、ラマン分析でエラーを引き起こす可能性のある、インターフェースに入る周囲光を減らすことができる。いくつかの実行形態において、筐体７１０は、光学減衰機能、例えば、ラマンスペクトルの捕捉中に検出器に到達する迷光の影響を低減するために周囲光を吸収する塗料および材料を含むことができる。
【００７２】
筐体７１０は、撮像コンポーネント７３０および照明コンポーネント７４０をさらに密閉することができる。撮像コンポーネント７３０および照明コンポーネント７４０は、サンプル提示コンポーネント７２０およびプローブ７０２の位置決めによって促進されるような、筐体７１０の内部、具体的には、サンプルとサンプルおよびプローブ７０２の向きの遠隔観察を可能にすることができる。一態様では、撮像コンポーネント７３０および照明コンポーネント７４０は、人間の可視スペクトルでプローブ７０２へのサンプルの提示を照明および撮像することができる。いくつかの実行形態において、撮像コンポーネント７３０および照明コンポーネント７４０は、人間の視覚の通常の範囲外のスペクトル、たとえばＵＶ、ＩＲなどで、プローブ７０２へのサンプルの提示を照明および撮像することもできる。さらに、撮像コンポーネント７３０および照明コンポーネント７４０は、コンプライアンスコンポーネント７１２に通信可能に結合することができる。これにより、コンプライアンスコンポーネント７１２は、システム７００のコンプライアンス規則に関してイメージングコンポーネント７３０および照明コンポーネント７４０の状態を決定することができる。イメージャ／照明器により、オペレータは、筐体７１０を開く必要なしに、サンプルに対してプローブ７０２を配置することができる。典型的な従来のベンチトップラマン装置とは対照的に、これによってオペレータはサンプルを筐体に入れ、筐体を閉じてから、サンプルステージまたはプレートおよび／またはラマンプローブチップのイメージングとリモートコントロールを介してサンプルインターフェースと相互に作用することにより、サンプルの異なる部分を調査することが可能となる。一例として、不均一な鉱石サンプルが筐体内に配置される場合、鉱石の第１の場所で分析すると第１の結果を得ることができる。オペレータは、イメージャを介してサンプル／プローブを別の場所に再配置し、２番目の結果をキャプチャすることができる。これは簡単に見えるかもしれないが、筐体を開いてサンプルを直接再配置するのではなく、サンプル／プローブのリモート再配置を有効にすることで大幅に時間を節約することが可能である。さらに、ＩＲ、ＮＩＲ、ＵＶなどの人間の視力を超えるスペクトル領域でイメージングと照明を行うことができ、これによりオペレータは人間の目に直接見えない可能性のある特徴に対してサンプル／プローブを配置することが可能となる。例として、サンゴのサンプルは、ＵＶ光で蛍光を発する生物材料を含むことが可能で、これによりオペレータはＵＶ感度の高いイメージャとＵＶ照明を介してプローブ／サンプルを配置することが可能となり、サンゴの選択された場所でラマン分析を行うためにＵＶ照明を停止する。
【００７３】
コンプライアンスコンポーネント７１２は、筐体７１０、プローブ７０２、サンプル提示コンポーネント７２０、撮像コンポーネント７３０、照明コンポーネント７４０などのうちの１つまたは複数に通信可能に結合することができる。コンプライアンスコンポーネント７１２は、システム７００の態様に関連するコンプライアンス規則を受け取ることができる。コンプライアンスコンポーネント７１２は、コンプライアンス規則が満たされていることを判断できる。一態様では、コンプライアンスコンポーネント７１２は、システム７００の態様に関連するコンプライアンス規則の群との同時コンプライアンスを決定することができる。一例として、コンプライアンスコンポーネント７１２は、サンプル提示コンポーネント７２０に対するプローブ７０２の位置が照明コンポーネント７４０の照明モードに同時に準拠し、筐体７１０が動作可能な構成であることを決定することができる。一態様において、コンプライアンス規則の集合の中に同時コンプライアンスが存在するという決定に応じて、コンプライアンスコンポーネント７１２は、サンプルの調査のために光エネルギーを放出させることが可能である。この態様により、たとえば筐体が適切に閉じられていない場合やプローブが適切な位置にない／サンプルと接触していない場合などに、レーザエネルギーの偶発的な放出の機会を減らすことが可能となる。さらに、この態様はトリガーとして機能することが可能で、群のコンプライアンス規則はサンプルの調査がいつ開始するかを定義する。別の態様では、ラマン分光計の改善された動作にとって有益な条件の存在を判断することによりコンプライアンス規則は分析に役立つことが可能で、例えば、レーザをサンプルに発射させる前に照明源がオフであると判断することにより、コンプライアンスコンポーネント７１２は分析を妨げる可能性のある筐体内の周囲光を取り除く。さらなる態様では、コンプライアンスコンポーネント７１２は、規則が非コンプライアンスになったという判定に応じて光エネルギーの放出を無効にすることができ、例えば、コンプライアンスコンポーネント７１２は、同時コンプライアンスがもはや存在しないと判定し、したがって、光エネルギーの放出の実行を停止することができる。
【００７４】
図８は、本開示の態様による、筐体を含む光学ベンチトップ分析装置のプローブインターフェースのサンプルの直接監視を促進するシステム８００を示す。システム８００は筐体８１０を含むことが可能である。筐体８１０は、サンプルとプローブ間のインターフェースを密閉することができる。いくつかの実行形態において、筐体８１０は、プローブ８０２、サンプル提示コンポーネント８２０、撮像コンポーネント８３０、および照明コンポーネント８４０を密閉することができる。プローブ８０２、サンプル提示コンポーネント８２０、撮像コンポーネント８３０、および照明コンポーネント８４０は、コンプライアンスコンポーネント８１２に通信可能に結合することができる。
【００７５】
いくつかの実行形態において、プローブ８０２は、サンプルに光エネルギーを向けるための光学素子を含むことが可能である。いくつかの実行形態において、サンプルに光エネルギーを向ける光学素子は、球面光学素子を含むことができる。球面光学素子は、プローブ８０２を介したラマン分光分析を可能にするＢａｌｌＰｒｏｂｅ（登録商標）であってもよい。プローブ８０２を含む例示的なベンチトップ分析装置は、プローブ８０２の一部をサンプルに浸したり挿入したりして、サンプルなどに対してラマン分光分析を実行し、前記サンプルの光学調査を開始することができる。一態様では、分析のためにサンプルの異なる部分、異なるサンプルなどにアクセスできるように、プローブ８０２は、サンプル提示８２０に対して、例えば、ｘ軸、ｙ軸、ｚ軸上を、回転するなどして移動することが可能である。さらに、いくつかの実行形態では、プローブ８０２の動きは、サンプル提示コンポーネント８２０による動きに加えて、またはその代わりになり得る。
【００７６】
いくつかの実行形態において、サンプル提示コンポーネント８２０は、プローブ８０２を介して調査のためのサンプルを提示することができる。一態様では、サンプル提示コンポーネント８２０は、サンプルの異なる部分、異なるサンプルなどをプローブ８０２を介して分析用に提示できるように、プローブ８０２に対して、例えば、ｘ軸、ｙ軸、ｚ軸上を、回転するなどして移動することが可能である。前述に留意したように、いくつかの実行形態では、サンプル提示コンポーネント８２０の動きは、プローブ８０２による動きに加えて、またはその代わりになり得る。サンプル提示コンポーネント８２０およびプローブ８０２間の相対的位置は、例えば、コンプライアンスコンポーネント８１２を介して、サンプル提示コンポーネント８２０を介して、接続されたコントローラ／コンピュータなどを介して決定され得る。サンプルが光学検査に適切に方向付けられていることを判断するために相対的位置を使用することが可能である。いくつかの実行形態において、サンプル提示コンポーネント８２０は、液体フローセル、ガスフローセル、サンプルステージ、サンプルプレートなどを含むことができる。いくつかの例示的な実行形態において、サンプル提示コンポーネント８２０は、マルチウェルプレート、例えば３８４、９６、４８、２４、１２、６ウェルプレートサンプル容器などを含むことができる。これにより、マルチウェルプレートの１つまたは複数のウェルのサンプルを分析することが可能になる。
【００７７】
撮像コンポーネント８３０および照明コンポーネント８４０は、サンプル提示コンポーネント８２０およびプローブ８０２の位置決めによって促進されるような、筐体８１０の内部、具体的には、サンプルとサンプルおよびプローブ８０２の向きの遠隔観察を可能にすることができる。一態様では、撮像コンポーネント８３０および／または照明コンポーネント８４０は、人間の可視スペクトルでプローブ８０２へのサンプルの提示を照明および／または撮像することができる。いくつかの実行形態において、撮像コンポーネント８３０および照明コンポーネント８４０は、人間の視覚の通常の範囲外のスペクトル、たとえばＵＶ、ＩＲなどで、プローブ８０２へのサンプルの提示を照明および撮像することもできる。さらに、撮像コンポーネント８３０および照明コンポーネント８４０は、コンプライアンスコンポーネント８１２に通信可能に結合することができる。これにより、コンプライアンスコンポーネント８１２は、システム８００のコンプライアンス規則に関してイメージングコンポーネント８３０の状態および照明コンポーネント８４０の状態を決定することができる。
【００７８】
筐体８１０は、筐体８１０の内部と外部を分離することができ、その結果、サンプルの調査に関連する光エネルギーが筐体８１０の内部に安全に含まれ、筐体８１０の外部の条件が筐体８１０の内部におけるサンプル調査を干渉する可能性が低くなる。これにより、光放射をブロックまたは減衰させることによってオペレータの安全性を向上させることが可能となる。さらに、筐体８１０は、サンプルの光学検査でエラーを引き起こす可能性のある、インターフェースに入る周囲光を減らすことができる。いくつかの実行形態において、筐体８１０は、光学減衰機能、たとえば、周囲光を吸収または減衰する塗料、材料、および構造を含むことができる。
【００７９】
筐体８００はビューポートコンポートメント８５０を含むことが可能である。ビューポートコンポーネント８５０は、コンプライアンスコンポーネント８１２に通信可能に結合することができる。ビューポートコンポーネント８５０は、筐体８１０の内部を直接見ることができる筐体８１０に開口部を含むことができる。一態様では、開口部は、他の特徴、例えば環境制御、通気、レーザ光周波数の放出の制限などに関して筐体８１０の完全性を維持しながら、筐体８１０の内部を直接見ることができる窓材を含むことができる。一例として、ビューポートコンポーネント８５０は、サンプルインターフェースから逃げることができるレーザ光を減衰させるレーザーセーフウィンドウを含むことができる。別の例として、ビューポートコンポーネント８５０は、光の透過を物理的にブロックできるシャッター、スライドプレートなどを含むことが可能である。この例では、オペレータはサンプルを直接視認して、たとえばサンプルを配置し、その後入力を提供する、たとえば、シャッターをスライドして閉じたり、開始ボタンを押したりでき、分析を開始する前にシャッターを閉じることができる。コンプライアンスコンポーネント８１２は、シャッターが閉じられたときにレーザエネルギーの放出を可能にするのに対して、シャッターの動作は、実際に、レーザをサンプル上に発射させることもできる。ビューポートコンポーネント８５０は、いくつかの実行形態では、イメージングコンポーネント８３０と併せて使用することができ、例えば、ビューポートコンポーネント８５０を介した可視スペクトルおよび撮像コンポーネント８３０を介したＩＲ、ＵＶなどのスペクトルの可視化を可能にする。他の実行形態において、ビューポートコンポーネント８５０が含まれる場合、撮像コンポーネント８３０を除外することができる。
【００８０】
コンプライアンスコンポーネント８１２は、筐体８１０、プローブ８０２、サンプル提示コンポーネント８２０、撮像コンポーネント８３０、照明コンポーネント８４０、ビューポートコンポーネント８５０などのうちの１つまたは複数に通信可能に結合することができる。コンプライアンスコンポーネント８１２は、システム８００の態様に関連するコンプライアンス規則を受信することができる。コンプライアンスコンポーネント８１２は、コンプライアンス規則が満たされていることを判断できる。一態様では、コンプライアンスコンポーネント８１２は、システム８００の態様に関連するコンプライアンス規則の群との同時コンプライアンスを決定することができる。一例として、コンプライアンスコンポーネント８１２は、サンプル提示コンポーネント８２０に対するプローブ８０２の位置が、閉じていることを示すビューポートコンポーネント８５０に同時に準拠していること、また筐体８１０が動作可能な構成にあることを決定できる。一態様において、コンプライアンス規則の集合の中に同時コンプライアンスが存在するという決定に応じて、コンプライアンスコンポーネント８１２は、サンプルの調査のために光エネルギーを放出させることが可能である。この態様により、たとえばビューポートコンポーネント８５０が適切に閉じられていない場合やプローブが適切な位置にない／サンプルと接触していない場合などに、レーザエネルギーの偶発的な放出の機会を減らすことが可能となる。さらに、この態様はトリガーとして機能することが可能で、群のコンプライアンス規則はサンプルの調査がいつ開始するかを定義する。別の態様では、コンプライアンス規則は、ラマン分光計の改善された動作にとって有益な条件の存在を判断することにより分析に役立つことが可能で、例えば、レーザをサンプルに発射させる前に照明源がオフであると判断することにより、コンプライアンスコンポーネント８１２は筐体内の周囲光が減少したことを保証する。さらなる態様では、コンプライアンスコンポーネント８１２は、規則が非コンプライアンスになったという判定に応じて光エネルギーの放出を無効にすることができ、例えば、コンプライアンスコンポーネント８１２は、同時コンプライアンスがもはや存在しないと判定し、したがって、光エネルギーの放出の実行を停止することができる。
【００８１】
図９は、本開示の態様による、密閉型ベンチトップ分析装置内の環境制御を可能にするシステム９００を示す。システム９００は筐体９１０を含むことが可能である。筐体９１０は、サンプルとプローブ９０２の間のインターフェースを密閉することができる。いくつかの実行形態において、筐体９１０は、プローブ９０２、サンプル提示コンポーネント９２０、撮像コンポーネント９３０、および照明コンポーネント９４０を密閉することができる。プローブ９０２、サンプル提示コンポーネント９２０、撮像コンポーネント９３０、および照明コンポーネント９４０は、コンプライアンスコンポーネント９１２に通信可能に結合することができる。
【００８２】
いくつかの実行形態において、プローブ８０２は、サンプルに光エネルギーを向けるための光学素子を含むことが可能である。いくつかの実行形態において、サンプルに光エネルギーを向ける光学素子は、球面光学素子を含むことができる。球面光学素子は、プローブ９０２を介したラマン分光分析を可能にするＢａｌｌＰｒｏｂｅ（登録商標）であってもよい。プローブ９０２を含む例示的なベンチトップ分析装置は、プローブ９０２の一部をサンプルに浸したり挿入したりして、サンプルなどに対してラマン分光分析を実行し、前記サンプルの光学調査を開始することができる。一態様では、分析のためにサンプルの異なる部分、異なるサンプルなどにアクセスできるように、プローブ９０２は、サンプル提示コンポーネント９２０に対して、例えば、ｘ軸、ｙ軸、ｚ軸上を、回転するなどして移動することが可能である。
【００８３】
いくつかの実行形態において、サンプル提示コンポーネント９２０は、プローブ９０２を介して調査のためのサンプルを提示することができる。一態様では、サンプル提示コンポーネント９２０は、サンプルの異なる部分、異なるサンプルなどをプローブ９０２を介して分析用に提示できるように、プローブ９０２に対して、例えば、ｘ軸、ｙ軸、ｚ軸上を、回転するなどして移動することが可能である。サンプル提示コンポーネント９２０およびプローブ９０２の位置を決定することができる。サンプルが光学検査に適切に方向付けられていることを判断するために陽電子を使用することが可能である。いくつかの実行形態において、サンプル提示コンポーネント９２０は、液体フローセル、ガスフローセル、サンプルステージ、サンプルプレートなどを含むことができる。いくつかの例示的な実行形態において、サンプル提示コンポーネント９２０はマルチウェルプレートを含むことができる。これにより、マルチウェルプレートの１つまたは複数のウェルのサンプルを分析することが可能になる。
【００８４】
いくつかの実行形態において、システム９００は、環境制御コンポーネント９６０を含むことができる。環境制御コンポーネント９６０は、筐体９１０内の環境の制御を可能にする。環境制御コンポーネント９６０は、コンプライアンスコンポーネント９１２に通信可能に結合することができる。これにより、デリケートなサンプル、危険なサンプルなどの分析が促進される。一例として、環境制御コンポーネント９６０は、筐体９１０内の温度を、例えば氷点下に維持して、氷のサンプルの分析を可能にし、ＳＴＰで、温度または圧力変動などに関係なく分析を実行できる。別の例として、環境制御コンポーネント９６０は、揮発性化合物の分析を可能にするために、筐体を換気フード、スクラバーまたは他のろ過などに通気することができる。さらなる例として、環境制御コンポーネント９６０は、加湿空気から経時的に吸収されるサンプルの水分の変化を監視することにより、経時的にサンプルへの水分の吸収速度を示すために湿度を制御する、例えば、湿度を変化させるようにすることができる。さらに別の例では、環境制御コンポーネント９６０は、筐体９１０内の気体環境を、たとえば、ヘリウム、乾燥窒素などで筐体を充填することによって不活性環境を、また一定量の酸素を酸化的イベントなどや反応環境などの分析用の筐体に入れることによって反応環境などを維持することができる。加えて、環境コンポーネント９６０は、システム９００の他のコンポーネントの態様を制御することができ、例えば、サンプル提示コンポーネント９２０のホットプレートまたはコールドプレート機能の制御、攪拌プレート対応のサンプル提示コンポーネント９２０のための攪拌プレート運動の制御、例えば、筐体９１０の内部領域をＵＶ殺菌するための照明コンポーネント９４０の制御などを行うことができる。
【００８５】
筐体９１０は、筐体９１０の内部と外部を分離することができ、その結果、サンプルの調査に関連する光エネルギーが筐体９１０の内部に安全に含まれ、筐体９１０の外部の条件が筐体９１０の内部におけるサンプル調査を干渉する可能性が低くなる。これにより、光放射をブロックまたは減衰させることによってオペレータの安全性を向上させることが可能となる。さらに、筐体は、サンプルの光学検査でエラーを引き起こす可能性のある、インターフェースに入る周囲光を減らすことができる。いくつかの実行形態において、筐体９１０は、光学減衰機能、たとえば、周囲光を吸収または減衰する塗料、材料、および構造を含むことができる。
【００８６】
筐体９１０はビューポートコンポートメント９５０を含むことが可能である。ビューポートコンポーネント９５０は、コンプライアンスコンポーネント９１２に通信可能に結合することができる。ビューポートコンポーネント９５０は、筐体９１０の内部を直接見ることができる筐体９１０に開口部を含むことができる。一態様では、開口部は、他の特徴、例えば環境制御、通気、レーザ光周波数の放出の制限などに関して筐体９１０の完全性を維持しながら、筐体９１０の内部を直接見ることができる窓材を含むことができる。
【００８７】
筐体９１０は、撮像コンポーネント９３０および照明コンポーネント９４０をさらに密閉することができる。撮像コンポーネント９３０および照明コンポーネント９４０は、サンプル提示コンポーネント９２０およびプローブ９０２の位置決めによって促進されるような、筐体９１０の内部、具体的には、サンプルとサンプルおよびプローブ９０２の向きの遠隔観察を可能にすることができる。一態様では、撮像コンポーネント９３０および照明コンポーネント９４０は、人間の可視スペクトルでプローブ９０２へのサンプルの提示を照明および撮像することができる。いくつかの実行形態において、撮像コンポーネント９３０および照明コンポーネント９４０は、人間の視覚の通常の範囲外のスペクトル、たとえばＵＶ、ＩＲなどで、プローブ９０２へのサンプルの提示を照明および撮像することもできる。さらに、撮像コンポーネント９３０および照明コンポーネント９４０は、コンプライアンスコンポーネント９１２に通信可能に結合することができる。これにより、コンプライアンスコンポーネント９１２は、システム９００のコンプライアンス規則に関してイメージングコンポーネント９３０および照明コンポーネント９４０の状態を決定することができる。いくつかの実行形態において、照明コンポーネント９４０は、筐体９１０内の滅菌をさらに可能にすることができ、例えば、照明コンポーネント９４０は、筐体９１０の内部の一部または全部などを滅菌するのに十分なＵＶ放射を生成することができる。いくつかの実行形態において、環境制御コンポーネント９６０によってＵＶ滅菌機能を制御することができる。
【００８８】
コンプライアンスコンポーネント９１２は、筐体９１０、プローブ９０２、サンプル提示コンポーネント９２０、撮像コンポーネント９３０、照明コンポーネント９４０、ビューポートコンポーネント９５０、環境制御コンポーネント９６０などのうちの１つまたは複数に通信可能に結合することができる。コンプライアンスコンポーネント９１２は、システム９００の態様に関連するコンプライアンス規則を受信することができる。コンプライアンスコンポーネント９１２は、コンプライアンス規則が満たされていることを判断できる。一態様では、コンプライアンスコンポーネント９１２は、システム９００の態様に関連するコンプライアンス規則の群との同時コンプライアンスを決定することができる。一例として、コンプライアンスコンポーネント９１２は、サンプル提示コンポーネント９２０に対するプローブ９０２の位置が、照明コンポーネント９４０の照明モードや環境制御コンポーネント９６０を介した内部ガス環境を決定でき、また筐体９１０が動作可能な（たとえば、閉じた）構成にあると決定することができる。一態様において、コンプライアンス規則の集合の中に同時コンプライアンスが存在するという決定に応じて、コンプライアンスコンポーネント９１２は、サンプルの調査のために光エネルギーを放出させることが可能である。この態様により、たとえば筐体が適切に閉じられていない場合やプローブが適切な位置にない／サンプルと接触していない場合などに、レーザエネルギーの偶発的な放出の機会を減らすことが可能となる。さらに、この態様はトリガーとして機能することが可能で、群のコンプライアンス規則はサンプルの調査がいつ開始するかを定義する。別の態様では、コンプライアンス規則は、ラマン分光計の改善された動作にとって有益な条件の存在を判断することにより分析に役立つことが可能である。例として、レーザをサンプルに発射させる前に照明源がオフであると判断することにより、コンプライアンスコンポーネント９１２は分析を妨げる可能性のある筐体内の周囲光を取り除く。別の例として、環境制御コンポーネント９６０を介して、サンプルが安定した所定の温度にあると判断することにより、キャプチャされたスペクトルデータは、さまざまな温度でキャプチャされたデータよりも一貫性があり得る。さらなる態様では、コンプライアンスコンポーネント９１２は、規則が非コンプライアンスになったという判定に応じて光エネルギーの放出を無効にすることができ、例えば、コンプライアンスコンポーネント９１２は、同時コンプライアンスがもはや存在しないと判定し、したがって、光エネルギーの放出の実行を停止することができる。
【００８９】
図１０は、本開示の態様による、密閉型ベンチトップ分析装置のサンプルステージの移動を促進するシステム１０００を示す。システム１０００は、プローブ１００２およびサンプル提示コンポーネント１０２０を含むことができる。プローブ１００２およびサンプル提示コンポーネント１０２０は、お互いに対して、例えば、回転可能にＸ平面、ｙ平面、およびｚ平面などにおいて移動することができる。これにより、サンプルをプローブ１００２に対して位置決めして、サンプルの特定の位置で光学分析、例えばラマン分光法、ＩＲ分光法、ＵＶ−Ｖｉｓ分光法などを実行することが可能になる。サンプル提示コンポーネント１０２０が複数のサンプルを含む別の態様では、１つまたは複数の複数のサンプルの光学分析を実行可能にするためにこれらのサンプルをプローブ１００２に対して配置することができる。
【００９０】
いくつかの実行形態において、プローブ１００２は、サンプルに光エネルギーを向けるための光学素子を含むことが可能である。いくつかの実行形態において、サンプルに光エネルギーを向ける光学素子は、球面光学素子を含むことができる。球面光学素子は、プローブ１００２を介したラマン分光分析を可能にするＢａｌｌＰｒｏｂｅ（登録商標）であってもよい。プローブ１００２を含む例示的なベンチトップ分析装置は、プローブ１００２の一部をサンプルに浸したり挿入したりして、サンプルなどに対してラマン分光分析を実行し、前記サンプルの光学調査を開始することができる。一態様では、分析のためにサンプルの異なる部分、異なるサンプルなどにアクセスできるように、プローブ１００２は、サンプル提示コンポーネント１０２０に対して、例えば、ｘ軸、ｙ軸、ｚ軸上を、回転するなどして移動することが可能である。
【００９１】
いくつかの実行形態において、プローブチップは消耗品または交換可能であってよい。これは、洗浄可能なプローブチップの代わりに、またはそれに加えて行うことができる。洗浄せずにプローブチップを繰り返し使用すると、プローブチップの状態が変化し、キャプチャされた結果が変わる可能性があることが理解されよう。一例として、プローブチップがタールと接触すると、結果的にタールがプローブの光学素子に付着し、機器の次の分析実行で正確な結果が得られなくなる可能性がある。これらの状況では、チップを洗浄または交換できる。ある態様では、これは筐体で発生する可能性がある。さらに、いくつかのサンプルは特定のタイプのチップに関連付けることができ、たとえば、濃フッ化水素酸のサンプリングは、ガラスレンズのプローブチップよりもプラスチックレンズのプローブチップを用いてより適切に実行できる。別の例として、第１の分析には第１の焦点深度が望ましく、別の分析には異なる第２の焦点深度が望ましいことがある。開示された主題は、プローブチップの洗浄を可能にする洗浄成分を含むことができる。さらに、開示された主題は、消費されたプローブチップの交換、分析に適したチップの交換などを可能にする複数の他のプローブチップを含むことができる。例として、タールに浸したプローブチップをクリーニングコンポーネントに移動し、別のプローブチップで置き換えることができる。これにより、第１のチップの洗浄中に分析を続行することが可能である。別の例では、損傷したチップを廃棄し、交換用チップを一連のチップから取り出すことができる。さらなる例では、第１の分析には第１のチップを使用し、その後、筐体を開く必要なしに第２の分析に第２のチップを使用することができる。さらに、コンプライアンスコンポーネントは、いくつかの実行形態では、プローブチップの状態をチェックして、例えば自己診断、較正など、チップの交換が必要かどうかを判断することができる。
【００９２】
したがって、いくつかの実行形態において、プローブ１００２は消費可能な光学素子コンポーネント１００４を含むことができる。一態様では、消費可能な光学素子コンポーネント１００４は、サンプルに光エネルギーを向けるための光学素子を含むことができる。一例として、消費可能な光学素子コンポーネント１００４は、プローブ１００２に接続された球状光学素子を備えた消費可能なチップである。そのため、消費可能な光学素子コンポーネント１００４が汚れ、損傷し、決定された光学分析などに適さないなどの場合、消費可能な光学素子コンポーネント１００４を投棄し、交換可能で消費可能な光学素子コンポーネント１００４をプローブ１００２に接続してさらに分析を進めることができる。一例として、使い捨てピペットチップを繰り返し使用できる限りにおいて、相互汚染、チップの損傷、チップの汚れなどを予防するために使い捨てクロスチップを交換することが望ましい場合があるなどという点で、使い捨てピペットチップは消費可能な光学素子コンポーネント１００４に類似していてもよい。同様に、消費可能な光学素子コンポーネント１００４は、消費可能な光学素子コンポーネント１００４を別の消費可能な光学素子コンポーネント１００４と交換する必要があると判断されるまで、光学素子の継続使用を可能にする。一態様では、交換可能で消費可能な光学素子コンポーネント１００４は、交換される消費可能な光学素子コンポーネント１００４と同じ、類似、または異なっていてもよい。
【００９３】
さらに、いくつかの実行形態において、消費可能な光学素子コンポーネント１００４は、ほぼあらゆる材料で構築することができる。消費可能な光学素子コンポーネント１００４は、適切なポリマーを含むことができる。消費可能な光学素子コンポーネント１００４は、ステンレス鋼、金、または他の金属；ホウケイ酸塩または他のガラス；澱粉または他の炭水化物など；または特定のサンプル環境に適したほぼすべての他の材料などの他の材料を含むことができるが、これらに限定されない。さらに、材料を機械加工、焼結、鋳造、射出成形、3D印刷などして、例えば消費可能な光学素子コンポーネント１００４の本体、光学素子シート、シュラウドなどを形成することができる。一例として、消費可能な光学素子コンポーネント１００４は、プローブ１００２の受信端に摩擦圧入によって保持されることを可能にするのに十分に高い摩擦係数を有するポリマー体を含むことができる。別の態様では、消費可能な光学素子コンポーネント１００４のいくつかの実行形態は、ほぼ球形となり得る光学素子を含むことができる。光学素子は、成形プロセスの一部として、接着剤で接着され、摩擦または圧入で取り付けられ、機械的に捕捉されるなどにより、別個に製造され、消費可能な光学素子コンポーネント１００４の本体に追加され得る。他の実行形態では、球面光学素子は、成形プロセスの一部として本体と同時成形することができ、例えば、球面光学素子は、射出成形などにより、消費可能な光学素子コンポーネント１００４本体と同じまたは異なる材料で形成することができ、３Ｄ印刷を介して消費可能な光学素子コンポーネント１００４と同じまたは異なる材料で形成することができる。さらに、消費可能な光学素子コンポーネント１００４の本体と同じまたは異なる材料を含む、ほぼすべての適切な材料から球面光学素子を製造することができる。適切な材料の非限定的な例には、特定のシナリオに適した光学特性に応じて、ポリマー、ガラス、鉱物などが含まれる。本明細書に上記で留意したように、「球面」光学素子または同様の用語は、球面またはほぼ球面の幾何学形状を有する光学素子、例えばレンズなどを指す。さらに、本明細書で使用される「球面光学素子」という用語は、球体の少なくとも一部に近似する曲面を含む光学素子の一部を介して光を伝導する任意の光学素子も含むことができる。例として、２つの個々の、一般に半球形部分を含む光学素子も、本開示の範囲内の球面素子と見なすことができる。
【００９４】
いくつかの実行形態において、サンプル提示コンポーネント１０２０は、プローブ１００２を介して調査のためのサンプルを提示することができる。一態様では、サンプル提示コンポーネント１０２０は、サンプルの異なる部分、異なるサンプルなどをプローブ１００２を介して分析用に提示できるように、プローブ１００２に対して、例えば、ｘ軸、ｙ軸、ｚ軸上を、回転するなどして移動することが可能である。サンプル提示コンポーネント１０２０およびプローブ１００２の位置を決定することができる。サンプルが光学検査に適切に方向付けられていることを判断するために陽電子を使用することが可能である。いくつかの実行形態において、サンプル提示コンポーネント１０２０は、液体フローセル、ガスフローセル、サンプルステージ、サンプルプレートなどを含むことができる。いくつかの例示的な実行形態において、サンプル提示コンポーネント１０２０はマルチウェルプレートを含むことができる。これにより、マルチウェルプレートの１つまたは複数のウェルのサンプルを分析することが可能になる。
【００９５】
サンプル提示コンポーネント１０２０の移動は、ステージモーションコンポーネント１０２２によって実行可能になる。一態様では、ステージモーションコンポーネント１０２２は、例えば、サーボモータ、圧電アクチュエータなどを含むことができ、サンプル配置コンポーネント１０２６の移動を可能にする。サンプル配置コンポーネント１０２６は、サンプル提示コンポーネント１０２０の基準点に関して静的として扱うことができる場所でのサンプルの位置決めを促進することができ、その結果、サンプル提示コンポーネント１０２０の動きは、サンプル配置コンポーネント１０２６によって位置決めされたサンプルの動きと相関させることが可能である。一態様では、サンプル配置コンポーネント１０２６は、マルチウェルプレート、気体および／または液体用のフローセル、機械式グリッパーアセンブリ、接着剤、吸引グリッパーアセンブリなどを含むことができ、固体、液体、または気相の少なくとも１つであるサンプルの配置を可能にし、その結果、サンプル提示コンポーネント１０２０は光学分析のためにプローブ１００２にサンプルを提示できる。一例として、岩片は、一片の両面テープを介してサンプルステージ、例えば、サンプル配置コンポーネント１０２６に接着させることができ、ステージモーションコンポーネント１０２２は、プローブ１００２の位置／動きに対する位置に岩を移動させることができ、消費可能な光学素子１００４の球面光学系が、ラマン分析のために岩石の所望の部分にレーザ光を通過させるのを可能にする。さらに、サンプル提示コンポーネント１０２０は、プローブ１００２とサンプルとの間の相互作用を決定することが可能なステージ相互作用コンポーネント１０２４を含むことができる。一態様では、ステージ相互作用コンポーネント１０２４は、いつプローブ１００２がサンプルと接触するか、サンプル、例えばプローブ１００２が浸漬される液体または気体サンプルなどの所定の距離に位置しているか、サンプルに対して決まった角度にあるか、などを決定することができる。一例として、ＢａｌｌＰｒｏｂｅ（登録商標）が装備された消費可能な光学素子コンポーネント１００４を接触ラマン分析に使用する場合、ＢａｌｌＰｒｏｂｅ（登録商標）チップをサンプルと物理的に接触させることが可能である。ステージ相互作用コンポーネント１０２４は、いつ接触が発生したかを判断できる。この決定された接触は、コンプライアンス規則の同時満足度を決定するのを支援するために、コンプライアンスコンポーネント、例えば６１２、７１２、８１２、９１２などによって使用され得る。さらに、この決定された接触は、ＢａｌｌＰｒｏｂｅ（登録商標）が固体サンプルなどに接触している間、例えば、追加の圧力を介して破砕する、横方向の動きによって傷をつけたりしてＢａｌｌＰｒｏｂｅ（登録商標）光学素子に損傷を与える可能性のあるプローブ１００２とサンプル提示コンポーネント１０２０の間の追加の動きを止めるために使用することができる。一例として、バネ付勢圧力センサは、付勢バネによって及ぼされる付勢圧力を超えることなく接触が行われたことを判定することができる。別の例として、サンプル提示コンポーネント１０２０とプローブ１００２との間の距離を決定するために超音波近接センサを使用することができ、これをモデルと共に使用してサンプルまでのプローブチップの距離を決定することができる。他の多数の例が当業者によって容易に認識され、そのような例はすべて、明確さおよび簡潔さのために明示的に列挙されていないものの、本開示の範囲内にある。
【００９６】
図１１は、本開示の態様による、密閉型ベンチトップ分析装置用のプローブの交換可能な光学素子コンポーネントの洗浄または交換を可能にするシステム１１００を示す。システム１１００は、プローブ１１０２およびサンプル提示コンポーネント１１２０を含むことができる。プローブ１１０２およびサンプル提示コンポーネント１１２０は、お互いに対して、例えば、回転可能にｘ平面、ｙ平面、およびｚ平面などにおいて移動することができる。これにより、サンプルをプローブ１１０２に対して位置決めして、サンプルの決定された位置での光学分析を可能にすることができる。サンプル提示コンポーネント１１２０が複数のサンプルを含む別の態様では、１つまたは複数の複数のサンプルの光学分析を実行可能にするためにこれらのサンプルをプローブ１１０２に対して配置することができる。
【００９７】
いくつかの実行形態において、プローブ１１０２は、サンプルに光エネルギーを向けるための光学素子を含むことが可能である。いくつかの実行形態において、サンプルに光エネルギーを向ける光学素子は、球面光学素子を含むことができる。球面光学素子は、プローブ１１０２を介したラマン分光分析を可能にするＢａｌｌＰｒｏｂｅ（登録商標）であってもよい。プローブ１１０２を含む例示的なベンチトップ分析装置は、プローブ１１０２の一部をサンプルに浸したり挿入したりして、サンプルなどに対してラマン分光分析を実行し、前記サンプルの光学調査を開始することができる。一態様では、分析のためにサンプルの異なる部分、異なるサンプルなどにアクセスできるように、プローブ１１０２は、サンプル提示１１２０に対して、例えば、ｘ軸、ｙ軸、ｚ軸上を、回転するなどして移動することが可能である。
【００９８】
いくつかの実行形態において、プローブ１１０２は、交換可能な光学素子コンポーネント１１０４を含むことができる。一態様では、交換可能な光学素子コンポーネント１１０４は、サンプルに光エネルギーを向けるための光学素子を含むことができる。一例として、交換可能な光学素子コンポーネント１１０４は、プローブ１１０２に接続された球状光学素子を備えた交換可能なチップである。そのため、交換可能な光学素子コンポーネント１１０４が汚れ、損傷し、決定された光学分析などに適さない場合、第１の交換可能な光学素子コンポーネント１１０４を取り外し、第２の交換可能な光学素子コンポーネント１１０４をプローブ１１０２に取り付けて、さらに分析を進めることができる。
【００９９】
一態様では、これにより、いくつかの交換可能な光学素子コンポーネントの特性に基づいて、異なる交換可能な光学素子コンポーネントを回転させて使用することが可能になる。一例として、第１の交換可能な光学素子コンポーネントはサファイアレンズを有し、第２の交換可能な光学素子コンポーネントはプラスチックレンズを有することができる。第２の交換可能な光学素子コンポーネントは、第１の交換可能な光学素子コンポーネントのサファイアレンズを必要としない条件で使用でき、たとえば、プラスチックレンズの損傷はサファイアレンズの損傷よりも少ないため）、しかしながら、分析がサファイアレンズの使用により適していると判断される場合、第２の交換可能な光学素子コンポーネントは、第１の交換可能な光学素子コンポーネントと交換することができる。サファイアレンズを用いた分析が実行された後、第１の交換可能な光学素子コンポーネントは、第２の交換可能な光学素子コンポーネントと再交換することができる。
【０１００】
さらに、いくつかの実行形態において、システム１１００は、交換可能な光学素子コンポーネントストレージ１１０６（例えば、容器）を含むことができる。交換可能な光学素子コンポーネントストレージ１１０６は、交換可能な光学素子コンポーネント１１０４と交換することが可能な交換可能な光学素子コンポーネントを記憶することができる。一態様では、交換可能な光学素子コンポーネントストレージ１１０６は、使い捨てまたは消費可能な光学素子コンポーネントの供給を記憶することができる。別の態様では、交換可能な光学素子コンポーネントストレージ１１０６は、他の交換可能な光学素子コンポーネントを記憶することができる。例として、最新のコンピュータ数値制御（ＣＮＣ）フライス盤には、フライス加工ツールの迅速かつ自動化された交換を可能にするタレットシステムを装備でき、同様に、交換可能な光学素子コンポーネントストレージ１１０６は、交換可能な筐体内の光学素子コンポーネント、たとえば１１０、３１０、６１０−９１０などの迅速かつ自動化された交換を可能にする。
【０１０１】
いくつかの実行形態において、プローブ１１０２は、光学素子洗浄コンポーネント１１０８を使用して、プローブ１１０２の光学素子を洗浄することができる。いくつかの実行形態にいて、光学素子洗浄コンポーネント１１０８は、プローブ１１０２の光学素子が、例えば、較正、強度補正、フラットフィールド技術、波長位置合わせ技術などを介して清浄であることを検証することができる。一例として、光学素子洗浄コンポーネント１１０８は、油サンプルでラマンスペクトルを取得する分析実行間で溶媒に浸したプローブチップを超音波処理することができ、そこではプローブチップから油をすすぐことができる、例えば、油と接触する光学素子を洗浄して交換可能な光学素子コンポーネント１１０４を再利用することが可能になる。光学素子の清浄度は、再利用する前に検証することが可能である。光学素子の清浄度が低下した場合、光学素子を再洗浄して検証することができ、またはいくつかの実行形態において、交換可能な交換可能な光学素子コンポーネント１１０４と交換することができる。
【０１０２】
いくつかの実行形態において、交換可能な光学素子コンポーネント１１０４は、ほぼあらゆる材料で構築することができる。交換可能な光学素子コンポーネント１１０４は、適切なポリマーを含むことができる。交換可能な光学素子コンポーネント１１０４は、ステンレス鋼、金、または他の金属；ホウケイ酸塩または他のガラス；澱粉または他の炭水化物など；または特定のサンプル環境に適したほぼすべての他の材料などの他の材料を含むことができるが、これらに限定されない。さらに、材料を機械加工、焼結、鋳造、射出成形、３Ｄ印刷などして、例えば交換可能な光学素子コンポーネント１１０４の本体、光学素子シート、シュラウドなどを形成することができる。別の態様では、交換可能な光学素子コンポーネント１１０４のいくつかの実行形態は、ほぼ球形となり得る光学素子を含むことができる。さらに、交換可能な光学素子コンポーネント１１０４の本体と同じまたは異なる材料を含む、ほぼすべての適切な材料から球面光学素子を製造することができる。本明細書に上記で留意したように、球面光学素子または同様の用語は、球面またはほぼ球面の幾何学形状を有する光学素子、例えばレンズなどを指す。さらに、本明細書で使用される球面光学素子という用語は、球体の少なくとも一部に近似する曲面を含む光学素子の一部を介して光を伝導する任意の光学素子も含むことができる。
【０１０３】
いくつかの実行形態において、サンプル提示コンポーネント１１２０は、プローブ１１０２を介して調査のためのサンプルを提示することができる。一態様では、サンプル提示コンポーネント１１２０は、サンプルの異なる部分、異なるサンプルなどをプローブ１１０２を介して分析用に提示できるように、プローブ１１０２に対して、例えば、ｘ軸、ｙ軸、ｚ軸上を、回転するなどして移動することが可能である。サンプル提示コンポーネント１１２０およびプローブ１１０２の位置を決定することができる。サンプルが光学検査に適切に方向付けられていることを判断するために陽電子を使用することが可能である。いくつかの実行形態において、サンプル提示コンポーネント１１２０は、液体フローセル、ガスフローセル、サンプルステージ、サンプルプレートなどを含むことができる。いくつかの例示的な実行形態において、サンプル提示コンポーネント１１２０はマルチウェルプレートを含むことができる。これにより、マルチウェルプレートの１つまたは複数のウェルのサンプルを分析することが可能になる。
【０１０４】
サンプル提示コンポーネント１１２０の移動は、ステージモーションコンプ１１２２により可能となる。ある態様では、ステージモーションコンプ１１２２は、サンプル配置コンポーネント１１２６の移動を可能にすることができる。サンプル配置コンポーネント１１２６は、サンプル提示コンポーネント１１２０の基準点に関して静的として扱うことができる場所でのサンプルの位置決めを促進することができ、その結果、サンプル提示コンポーネント１１２０の動きは、サンプル配置コンポーネント１１２６によって位置決めされたサンプルの動きと相関させることが可能である。
【０１０５】
さらに、サンプル提示コンポーネント１１２０は、プローブ１１０２とサンプルとの間の相互作用を決定することが可能なステージ相互作用コンポーネント１１２４を含むことができる。一態様では、ステージ相互作用コンポーネント１１２４は、いつプローブ１００２がサンプルと接触するか、サンプル、例えばプローブ１１０２が浸漬される液体または気体サンプルなどの所定の距離に位置しているか、サンプルに対して決まった角度にあるか、などを決定することができる。この決定された相互作用は、コンプライアンス規則の同時満足度の決定を支援するために、コンプライアンスコンポーネント、例えば６１２、７１２、８１２、９１２などによって使用され得る。さらに、この決定された相互作用は、プローブ１１０２とサンプル提示コンポーネント１１２０との間の追加の動きを止めるために使用することができる。
【０１０６】
図１２は、本開示の態様による、システム１２００の動作制御のためのユーザインターフェース１２６０を提供して分析結果を見るための筐体１２１０およびそれに結合された（ディスプレイ付属）コンピュータ１２５０を含む例示的なシステム１２００を示す。本明細書で説明されるように、筐体１２１０は、筐体内のサンプルの光学分光法を実行するために少なくともプローブ１２０２、サンプル提示コンポーネント１２２０、およびコンプライアンスコンポーネント１２１２を含んでもよい。
【０１０７】
図１２に示すように、オペレータは、１つまたは複数の入力デバイス（たとえば、マウス、キーボード、タッチスクリーンなど）を使用して筐体１２１０に（有線または無線通信を介して）結合されたコンピュータ１２５０と対話してもよく、コンピュータ１２５０のディスプレイはユーザインターフェース１２６０を提供してもよい。オペレータは、システム１２００の電源を入れ、筐体１２１０内にサンプルを配置して、光学分光法中にプローブ１２０２がサンプルを光学的に調査できるようにサンプルおよびプローブ１２０２を位置決めしてもよい。オペレータは、筐体１２１０の蓋を閉じて、ユーザインターフェース１２６０との対話を開始してもよい。コンプライアンス１２１２コンポーネントは、光学分光法が筐体１２１０内で実行される前に１つまたは複数のコンプライアンス規則が満たされる（例えば、筐体１２１０が閉じられる）ことを保証してもよい。
【０１０８】
ユーザインターフェース１２６０は、１２６１で、特定のユーザがシステム１２００によって維持されているユーザアカウントにログインしていることを示してもよい。これを、オペレータが提供する資格情報（例えば、ユーザー名とパスワード）、生体認証（例えば、指紋、虹彩スキャン、音声認識など）の識別などのあらゆる適当な技術、またはオペレータを認証するための他のあらゆる適当な技術によって達成してもよい。オペレータ／ユーザを特定の分析に関連付けることにより、個々のオペレータの統計を収集して、手順および／またはプロトコルなどに準拠しているかどうかを判断することができる。さらに、（コンプライアンスコンポーネントによって使用される）コンプライアンス規則は、ベンチトップ分析装置のオペレータがユーザアカウントにログインしたことの判断に関連してもよい。したがって、コンプライアンスコンポーネントは、この規則が満たされない限り、および満たされるまで（たとえば、オペレータがユーザアカウントにログインしない限り、およびログインするまで）、プローブ１２０２を介した光エネルギーの放出を実行させない。
【０１０９】
ユーザインターフェース１２６０は、オペレータが複数の利用可能な種類のサンプルのうちの１つを選択するための第１のセクション１２６２を提示してもよい。図１２の例では、サンプルタイプは、複数の利用可能なタイプの薬剤（または医薬品）の形態であるが、システム１２００はあらゆるタイプのサンプルを分析するように構成することが可能で、薬剤に限定されない。例えば、システム１２００は、複数の種類の食物、または任意の他の種類のサンプルのデータベースを維持してもよい。いずれにしても、図１２の例は３つの薬剤を示しているが、システム１２００は、サンプルの種類および／またはサンプルの濃度を検証する目的でオペレータが選択できる任意の適切な数の異なるサンプルの種類（例えば、薬剤の種類）のデータベースを維持できることを理解されたい。一例において、オペレータは、抗生物質であるセファゾリンなどの薬物に対応し得る選択薬剤セクション１２６２において薬剤１を選択してもよい。
【０１１０】
ユーザインターフェース１２６０は、サンプルの種類（例えば、薬剤のタイプ）の選択に加えて、またはそれに続いて、ミリリットル（ｍｌ）単位の過剰充填量などのサンプル（例えば、薬剤）の過剰充填量をオペレータが選択するための第２セクション１２６４を提示してもよい。例では、オペレータは10ｍｌの過剰充填を選択してもよい。分析されたサンプルのタイプに応じて、サンプルの種類またはカテゴリに適用できない場合に過剰充填セクション１２６４を省略してもよい。
【０１１１】
ユーザインターフェース１２６０は、追加的に、または薬剤および過剰充填量の選択に続いて、オペレータがmlあたりのマイクログラム（メグ）またはｍｌあたりのミリグラム（ｍｇ）単位の濃度などのサンプル（例えば、薬剤）の濃度を選択するために第３のセクション１２６６を提示してもよい。例では、オペレータは１００ｍｇ／ｍｌの濃度を選択してもよい。いくつかの実行形態において、第１のセクション１２６２でのサンプルの種類の選択により、他のセクションの他のパラメータに、選択されたサンプルの種類の既知の値が自動入力されてもよい。たとえば、サンプルの種類のデータベースには、特定のサンプルの種類（フェンタニルなど）に対して事前に限定された単一の濃度が含まれる場合がある。この例では、オペレータは第１のセクション１２６２で目的のサンプルの種類を選択し、残りのパラメータ（例えば、濃度）には、そのサンプルの種類用にデータベースで指定された事前に定義されたひとつの濃度などの既知の値を自動入力してもよい。これにより、ユーザインターフェース１２６０の１つまたは２つのボタンを選択するだけで、オペレータはサンプルの光学分光法を実行可能になることにより、オペレータ用のユーザインターフェースを簡素化することができる。
【０１１２】
サンプル（例えば、薬剤）、過剰充填量、および選択された濃度をもとに、オペレータは検証ボタン１２６８（例えば、またはユーザインターフェース１２６０上のソフトボタンとして実装されたスタートボタン）を選択してもよい。検証ボタン１２６８を選択すると、筐体１２１０内のプローブ１２０２を介してサンプルの光学分光法を実行してもよく、ユーザインターフェース１２６０の結果セクション１２７０に分析の１つまたは複数の結果を提示してもよい。結果セクション１２７０は、（薬剤のタイプなどの）サンプルのタイプが光学分光法を通して（たとえば、取得されたラマンスペクトルがサンプルのタイプの既知のラマンスペクトルと一致することを判定することによって）検証されるかどうか、および／またはサンプルの濃度は、光学分光法を通して（たとえば、取得されたラマンスペクトルの強度の関数であるアルゴリズムを使用して）検証されるかどうかを示してもよい。実行中の例では、システム１２００は、筐体１２１０内に配置されたサンプルは実際に操作者によって選択された薬剤（例えば、薬剤１：セファゾリン）であり、実際に操作者によって選択された濃度（例えば、１００ｍｇ／ｍｌ）であることを実証する。サンプルがオペレータによって選択されたサンプルのタイプであると検証されなかった場合、結果セクション１２７０は、「検証されていない」などの異なる出力によってその程度を示してもよい。様々なセクション１２６２、１２６４、１２６６、１２７０が単一のユーザインターフェース１２６０に示されているが、これらのセクションは一連の連続したユーザインターフェースで提示されてもよいことを理解されたい。
【０１１３】
オペレータが、第１のサンプルに対して選択された同じタイプ、過剰充填、および濃度の追加のサンプルを検証したい場合、システム１２００はオペレータの選択を維持でき、オペレータは単に筐体１２１０の蓋を開け、以前分析されたサンプルを（同じ過剰充填量および同じ濃度の）同じタイプのサンプルであると思われる別のサンプルと交換し、筐体１２１０の蓋を閉じ、次のサンプルのために検証ボタン１２６８を選択してもよい。これにより、オペレータはバッチ処理を実行して、分析のパラメータを選択するための追加のユーザ入力ステップなしに、複数のサンプル（またはその濃度）を連続的に検証することが可能である。追加手段として、または代替手段として、オペレータが異なるタイプのサンプル（たとえば、異なる薬物）を分析したい場合、オペレータは、ユーザインターフェース１２６０上の新しい薬剤ボタン１２７２を選択でき、その後、オペレータは薬剤のタイプ、過剰充填量、および新しいサンプルの濃度を選択してもよい。
【０１１４】
本明細書に記載のシステム（例えば、システム１２００）の例示的な用途は医療分野にあり、ここではオペレータは、患者用に薬を調剤する薬局の技術者であり得る。処方は、生理食塩水に混合したヒドロモルフォンの６０ｍｌシリンジを患者用に充填することを示している。薬局の技術者は、所定の混合物でシリンジを満たし、シリンジを筐体１２１０に入れ、サンプルタイプを「ヒドロモルフォン」として選択し（必要に応じて過剰充填および濃度を選択し）、検証ボタン１２６８を選択して、シリンジ内のサンプルが実際にヒドロモルフォンであること、および／またはサンプルの濃度がオペレータによって指定された濃度であることを確認することができる。そのようなシステムの多くの可能な最終用途が考えられる。例えば、システム１２００を使用して、例えば、薬剤が病院または薬局の設定全体を移動する際に薬剤のサンプルをその持続期間の任意の段階でテストすることにより、薬剤の盗用を捕らえることが可能である。これにより、同様に、患者が正しい薬剤と薬剤の正しい投与量を得ていることを保証してもよい。
【０１１５】
他の業界のアプリケーションを含む他のアプリケーションも考えられる。例えば、図１２を参照して説明したものと同様の検証アプローチが食品業界で利用でき、たとえば、レストランでは、在庫が正しいことを確認するために、食品が品質目的で特定のタイプおよび／または濃度であるかどうかを判断する必要がある。別の例として、本明細書に記載のサンプル検証アプローチを使用して、診断アッセイの制御条件を確認することができる。偽造品の識別および／または集中は、ここで説明するサンプル検証アプローチを使用して検証することもできる。偽造品の例には、オイル（例：食品、石油など）、ゴム（例：タイヤ用）、骨董品、武器などが無制限に含まれる。実際、光学分光法を使用して、ボールベアリング、飲料、生体サンプル、血液、大麻製品、セラミック、衣類、作物、硬化剤、環境汚染物質、爆発物、飼料製品、食品、除草剤、宝飾品、液体、酒類、生物、ローション、高級品、医薬品、金属、栄養補助食品、油、香水、パーソナルケア製品、農薬、石油、石油由来の液体、医薬品、プラスチック、ポリイソシアネート、貴金属、試薬、ゴム、繊維、熱可塑性エラストマー、熱硬化性ポリマーなどのさまざまな商品に無制限に関連する多くの異なるタイプのサンプルのタイプおよび／または濃度を検証できる。
【０１１６】
本明細書に記載のシステム（例えば、システム１２００）は、診断などの他の方法で使用してもよく、結果セクション１２７０は、筐体１２１０内のサンプルの光学分光法に応じて追加および／または異なる結果を提示してもよいことを理解されたい。たとえば、オペレータは、事前にサンプルタイプ（たとえば、薬剤）を選択する必要はなく、代わりに、未知のサンプルの分析（たとえば、光学分光法）を単に開始してもよい。この例では、結果セクション１２７０は、光学分光法を使用してどのタイプのサンプルが検出されたか、およびそのサンプルの濃度を指定してもよい。この構成では、ラマンスペクトルのデータベースを使用して分析結果を比較し、サンプルの種類とサンプルの濃度を特定してもよい。場合によっては、結果セクション１２７０は、特定の材料またはサンプルタイプの「指紋」または「署名」である、サンプルのラマン分光法を実行することで得られたラマンスペクトルを提示してもよい。
【０１１７】
上記の例示的なシステムを考慮して、開示された主題に従って実行することが可能な例示的なプロセスは、図１３ないし図１７のフローチャートを参照してよりよく理解することができる。説明を容易にするために、本明細書で開示される例示的なプロセスは、一連の行為として提示および説明されるが、しかし、いくつかの行為は、異なる順序で、および／または本明細書に示され且つ説明された他の行為と同時に発生する可能性があるため、請求される主題は行為の順序によって制限されないことを理解および認識されたい。例えば、本明細書で開示される１つまたは複数の例示的なプロセスは、代替手段として、状態図などの一連の相互に関係する状態またはイベントとして表され得る。さらに、相互作用図は、異なるエンティティがプロセスの異なる部分を実行するとき、開示された主題によるプロセスを表してもよい。さらに、説明された例示的なプロセスを主題の仕様に従って実行するために、示されたすべての行為が必要とされるわけではない。さらに、本明細書で説明する１つまたは複数の態様を達成するために、開示された例示的なプロセスのうちの２つ以上を互いに組み合わせて実行することができる。本明細書を通じて開示された例示的なプロセスは、製造物（例えば、コンピュータ可読媒体）に保存することができ、したがって実行のためにそのようなプロセスをコンピュータに移送および転送するのを可能にし、またプロセッサにより、またはメモリ内のストレージのために実行するのを可能にすることをさらに理解されたい。
【０１１８】
図１３は、本開示の態様による、密閉型ベンチトップ分析装置の規則の充足に基づいて、光学調査エネルギーの放出を促進するプロセス１３００を示す。１３１０で、プロセス１３００は、光エネルギーの放出を可能にすることを含むことができる。その可能にする操作は、規則が満たされていることの決定に応答して実行でき、その規則は筐体の動作可能な構成に関する。
【０１１９】
一態様では、ラマン分光計は、サンプル内またはサンプル上に光エネルギーを放出することにより、サンプルを調べることができる。サンプルの分子組成に特徴的なサンプルから光エネルギーを戻すことができる。筐体の動作可能な構成に関する規則は、蓋が筐体の本体に対して閉じた位置にあるときに満たされるように決定することができる。一態様では、これにより、分析を続行させる前に、手順、許容差、および安全対策の指定を自動的に監視させることが可能となる。例として、接触センサは、筐体が閉じていることを確認してから、レーザ光を放出させてサンプルを調べることができ、それにより筐体がオペレータを保護するために閉じられていない間レーザ放出を防止することができる。
【０１２０】
１３２０で、プロセス１３００は、規則の満足の欠如の決定に応じて、光エネルギーの放出を無効にすることを含むことができる。一態様では、規則がもはや満たされないという決定に応じて、光エネルギーを停止または分流させることができる。コンプライアンスコンポーネント、たとえば６１２、７１２、８１２、９１２などは、さまざまなセンサ、モニタ、ユーザ入力などから入力を受信して、光エネルギーのホールドの開放を調整して、分析を開始する、または、進行中の分析を停止することができる。
【０１２１】
一例として、オペレータは、接触センサを備えた筐体にサンプルを入れて、筐体の蓋の閉鎖を検出することができる。サンプルオペレータは、サンプル（例えば梱包されたサンプル）をサンプルプレゼンテーションコンポーネントの上または中（例えばサンプルプレート上）に配置し、オペレータは筐体の蓋を閉じて分析を開始できる。この例では、コンプライアンスコンポーネントは、分析を進める前に筐体が適切に閉じられていると判断することが可能である。さらに、規則が「順守中」から「非順守」に移行する（例えば、筐体が開かれる）場合、ブロック１３２０で検証ビームを遮断することができる。このことは、ベンチトップ分析装置のオペレータの保護、機器の光学センサの保護、データ品質の確保などに役立つ。図１４は、本開示の態様による、密閉型ベンチトップ分析装置の規則の充足に基づいて、光学調査エネルギーの放出を促進するプロセス１４００を示す。１４１０で、プロセス１４００は、光エネルギーの放出を可能にすることを含むことができる。可能にする操作は、第１の規則を含む規則の同時満足度の判断に応じて実行できる。第１の規則は、ラマン分光プローブの光学素子とサンプルの間の接触の判断に関連してもよい。第１の規則は、筐体が閉じているという判断に関連していてもよい。
【０１２２】
一態様では、ラマン分光計は、サンプル内またはサンプル上に光エネルギーを放出することにより、サンプルを調べることができる。サンプルの分子組成に特徴的なサンプルから光エネルギーを戻すことができる。接触に関連する第１の規則は、プローブ、たとえばプローブ１０２、３０２、４０２、５０２、６０２、７０２、８０２、９０２、１００２、１１０２、１２０２などがサンプルに接触したとき、例えば、固体サンプルに押し付けられ、液体または気体サンプルなどに挿入されたときなどに満たされると判断してもよい。この第１の規則が規則の群の一部であり、規則の群が同時に満たされると判断される場合、サンプルの調査のための光エネルギーの放出を実行することが可能になる。筐体の閉鎖状態に関する第１の規則は、蓋が筐体の本体に対して閉鎖位置にあるときに満たされると判断することができる。一態様では、これにより、分析を続行させる前に、手順、公差、および安全対策の指定を自動的に監視させることが可能となる。例として、接触センサは、筐体が閉じていることを確認してから、レーザ光を放出させてサンプルを調べることができ、それにより筐体がオペレータを保護するために閉じられていない間レーザ放出を防止することができる。規則の群の追加の規則は、１４１０で同時に満たされると判断できる。たとえば、ユーザアカウントにログインしているオペレータに関連する規則を監視して、その規則が第１の規則と同時に満たされているかどうかを判断できる。別の例として、接触センサは、プローブを介してサンプルの調査を許可する前に、筐体が閉じていることを確認することが可能である。別の例として、光センサを監視して、分析を進める前にサンプルが暗くなっていることを確認でき、これにより、周囲光が存在する場合に発生する可能性のあるスペクトル結果のアーチィファクトを減らすことができる。さらなる例として、筐体内の温度を（温度センサなどを使用して）監視し、分析を進める前にサンプルを既知の状態にすることができ、これにより、実行と実行の間に筐体を開閉するオペレータから得られる分析結果のばらつきを減らすことができる。コンプライアンスコンポーネントは、さまざまなセンサ、モニタ、ユーザ入力などから入力を受け取って分析の保留の解除を調整でき、たとえば、１つまたは複数のコンプライアンス規則が同時に満たされるのに応じて分析を行うことが可能である。別の例として、オペレータは、撮像システムとサンプル接触センサを備えた筐体にサンプルを配置できる。次に、サンプルオペレータは、サンプル上の対象領域にラマンプローブを配置できる。次に、撮像システムを非照明モードに切り替えて光汚染を低減し、サンプルに対して例示的なラマンプローブを進めることができる。この例では、コンプライアンスコンポーネントは筐体が適切に閉じていること、照明源が同時にオフになっていることを判断することができ、そしてラマンプローブがサンプルに接触したことを接触センサが同時に示すのを待つことができる。ラマンプローブがサンプルに接触すると、接触センサは接触が行われたことを示すことができ、これにより、ライトが消灯し、筐体が閉じていると同時に接触規則を満たし、分析の続行が許可され、たとえば、条件が同時に満たされることによって分析を開始できる。これにより、オペレータはサンプルを配置し、ドアを閉め、カメラを介してサンプルを配置し、プローブを動かしてサンプルに接触させることができ、その後、分析が開始され、オペレータは次の分析を開始できる。さらに、従来令を拡大して、例えば９６ウェルプレートなどに配置されたサンプルのアレイは、開示された主題の実行形態に配置でき、筐体は閉じられ、オペレータは内部ビデオカメラとイルミネータとの助けを借りて、プレート内の９６個のウェル中の第１のウェルプローブを挿入し、開始ボタンを押すことができる。それに応じて、例示的なシステムはイルミネータを停止し、プローブを９６ウェルプレートの各ウェルに順次接触させるためのステージ移動プロセスを開始できる。例示的なコンプライアンスコンポーネントでは、筐体が閉じていること、イルミネータがオフになっていることを検証することができ、またプローブがサンプルプレートに接触していると判断された場合にのみ、たとえば変換プロセスサイクルでラマン検査レーザを有効にできますプローブが各ウェルと接触し、同時にイルミネータがオフになり、筐体が閉じられます。
【０１２３】
１４２０で、プロセス１４００は、規則の同時満足の欠如の判断に応じて、光エネルギーの放出を無効にすることを含むことができる。一態様では、光エネルギーを、規則中のある規則がもはや満たされないという判断に応じて停止または分流させることができる。これにより、１４２０と１４２０の間では、規則が同時に満たされたときにのみ光エネルギーを放出させることが可能である。たとえば、６１２、７１２、８１２、９１２などのコンプライアンスコンポーネントは、さまざまなセンサ、モニタ、ユーザ入力などから入力を受信して、分析を開始するために光エネルギーの保持の開放を調整し、分析は１つまたは複数のコンプライアンス規則の同時満足度に応じて実行できる。
【０１２４】
一例として、オペレータは、撮像システムとサンプル接触センサを備えた筐体にサンプルを配置できる。次に、サンプルオペレータは、サンプル上の対象領域にラマンプローブを配置できる。次に、撮像システムを非照明モードに切り替えて光汚染を低減し、サンプルに対して例示的なラマンプローブを進めることができる。この例では、コンプライアンスコンポーネントは、筐体が適切に閉じていること、照明源が同時にオフになっていることを判断することができ、またラマンプローブがサンプルに接触したことを接触センサが同時に示すのを待つことができる。ラマンプローブがサンプルに接触すると、接触センサは接触が行われたことを示すことができ、これにより、ライトが消灯し、筐体が閉じていると同時に接触規則を満たし、分析の続行が許可され、たとえば、条件が同時に満たされることによって分析を開始できる。これにより、オペレータはサンプルを配置し、ドアを閉め、カメラを介してサンプルを配置し、プローブを動かしてサンプルに接触させることができ、その後、分析が開始され、オペレータは次の分析を開始できる。さらに、プローブがサンプルから引き込まれたとき、筐体が開かれたとき、または照明源が再起動されたときに、調査ビームを止めることができる。このことは、機器のオペレータの保護、機器の光学センサの保護、データ品質の確保などに役立つ。さらに、例えば９６ウェルプレートなどに配置されたサンプルのアレイは、開示された主題の実行形態に配置でき、筐体は閉じられ、オペレータは内部ビデオカメラとイルミネータとの助けを借りて、プレート内の９６個のウェル中の第１のウェルプローブを挿入し、開始ボタンを押すことができる。それに応じて、例示的なシステムはイルミネータを停止し、プローブを９６ウェルプレートの各ウェルに順次接触させるためのステージ移動プロセスを開始できる。例示的なコンプライアンスコンポーネントでは、筐体が閉じていること、イルミネータがオフになっていることを検証することができ、またプローブがサンプルプレートに接触していると判断された場合にのみ、たとえば変換プロセスサイクルでラマン検査レーザを有効にできますプローブが各ウェルと接触し、同時にイルミネータがオフになり、筐体が閉じられます。そのため、筐体を開いた場合には、コンプライアンスコンポーネントがレーザエネルギーの放出を防ぐことができる。
【０１２５】
１４３０で、プロセス１４００は、第１の規則に対応する筐体条件の第１の状態に対応する第１の値を示すことを含むことができる。この時点で、プロセス１４００は終了することが可能である。これにより、他のシステム／コンポーネント、オペレータなどによる第１の値へのアクセスが許可される。一例として、第１の規則がラマンプローブの光学素子とサンプルの間の接触の判定に関連する場合、第１の値はプローブとサンプルの間の距離、プローブとサンプルステージの間の距離、サンプルまでのプローブの測定距離、フローセルまでのプローブの挿入深さ、プローブとサンプルステージ間で測定された圧力の量などである。第１の値は、追加のアクションを導くことができ,たとえば、プローブとサンプルプレートの間の圧力が閾値に移行する場合、プローブとサンプルプレートの間の距離を大きくして、プローブの光学素子などの損傷を防ぐことができる。
【０１２６】
いくつかの実行形態では、プロセス１４００によって光スペクトルの取得を促進することが可能である。いくつかの実行形態において、モバイルデバイスまたは他のユーザ機器と密閉されたベンチトップラマン分光計との間の無線リンクは、密閉されたベンチトップラマン分光計の態様の制御を可能にし、例えば、規則および／または規則の群の修正、創作、削除などを可能にする。別の実行形態では、ユーザ機器と囲まれたベンチトップラマン分光計との間の有線リンクは、囲まれたベンチトップラマン分光計の態様の制御を同様に可能にする。
【０１２７】
図１５は、本開示の態様による、プローブとサンプルとの接触の指示および十分に減衰した非検証光エネルギーの同時指示に基づいて第１の検証光エネルギーの放出を可能にするプロセス１５００を示す。１５１０で、プロセス１５００は、光エネルギーの放出を可能にすることを含むことができる。可能にする操作は、第１の規則および第２の規則を含む規則の同時満足度の判断に応じて実行することができる。第１の規則は、ラマン分光プローブの光学素子とサンプルの間の接触の判断に関連してもよい。第２の規則は、光学素子とサンプルとの間の界面に近い第２の光エネルギーに関連し得る。
【０１２８】
接触に関連する第１の規則は、プローブ、たとえばプローブ１０２、３０２、４２０、５０２、６０２、７０２、８０２、９０２、１００２、１１０２、１２０２などがサンプルに接触したとき、例えば、固体サンプルに押し付けられ、液体または気体サンプルなどに挿入されたときなどに満たされると判断してもよい。第１の規則は、プローブがテスト対象のサンプルと接触しているときに満たすことができる。第２の規則は、筐体の内部の周囲光の減衰に関連する場合がある。一態様では、例えば、筐体の内部が、照明器、例えば、７３０／７４０、８３０／８４０、９３０／９４０などを使用する撮像装置によって監視される場合、サンプルの調査中にラマン分光計の検出器で検出できる光を照明器が発しないことが望ましい場合がある。そのため、第２の規則は、イルミネータがオフになっていること、周囲光が筐体内、特に迷光が分光結果に影響を与える可能性があるサンプルプローブインターフェイスにおいて閾値レベル以下であることを検証できる。この第１の規則が規則の群の一部であり、第２の規則が規則の群の一部であり、規則の群が同時に満たされると判断される場合、サンプルの調査のための光エネルギーの放出を実行することが可能になる。
【０１２９】
１５２０で、プロセス１５００は、規則の同時満足の欠如の判断に応じて、光エネルギーの放出を無効にすることを含むことができる。一態様では、光エネルギーは、規則の中のひとつの規則、例えば、第１の規則、第２の規則などが同時に満たされていないという判断に応じて停止または分流させることができる。これにより、規則の群が同時に満たされた場合および場合のみに、光エネルギーが放出される。たとえば、６１２、７１２、８１２、９１２などのコンプライアンスコンポーネントは、さまざまなセンサ、モニタ、ユーザ入力などから入力を受信して、分析を開始するために光エネルギーの保持の開放を調整し、分析は１つまたは複数のコンプライアンス規則の同時満足度に応じて実行できる。
【０１３０】
１５３０で、プロセス１５００は、第１の規則に対応する第１の筐体条件の第１の状態に対応する第１の値を示すことを含むことができる。これにより、他のシステム／コンポーネント、オペレータなどによる第１の値へのアクセスが許可される。一例として、第１の規則がラマンプローブの光学素子とサンプルの間の接触の判定に関連する場合、第１の値はプローブとサンプルの間の距離、プローブとサンプルステージの間の距離、サンプルまでのプローブの測定距離、フローセルまでのプローブの挿入深さ、プローブとサンプルステージ間で測定された圧力の量などである。第１の値は、追加のアクションを導くことができ,たとえば、プローブとサンプルプレートの間の圧力が閾値に移行する場合、プローブとサンプルプレートの間の距離を大きくして、プローブの光学素子などの損傷を防ぐことができる。
【０１３１】
１５４０で、プロセス１５００は、第２の規則に対応する第２の筐体条件の第２の状態に対応する第２の値を示すことを含むことができる。この時点で、プロセス１５００は終了することが可能である。これにより、他のシステム／コンポーネント、オペレータなどによる第２の値へのアクセスが許可される。一例として、第２の規則が筐体内の周囲の光エネルギーの判断に関連する場合、第２の値は、一度に光エネルギーの測定値、光エネルギーの減衰率を示す時間値などであり得る。第２の値は、追加のアクションを導くことができ、たとえば、ＵＶ光がサンプルに蛍光を発し、サンプルに対するプローブの配置を促進する場合、蛍光は測定可能な速度で減少し、測定可能な速度は第２の値に反映される。そのため、この例の第２の値は、例えば、コンプライアンス成分などに含まれるタイミング遅延成分などによって使用され、光学分析の開始を遅延させて、蛍光が閾値レベルを下回るようにすることができる。取得したスペクトル情報の結果を改善します。
【０１３２】
図１６は、本開示の態様による、密閉型ベンチトップ分析装置内の異なるサンプル位置でのサンプルの連続的な光学調査を促進するプロセス１６００を示す。１６１０で、プロセス１６００は、第１の光エネルギーの放出を可能にすることを含むことができる。可能にする操作は、ラマン分光法プローブの光学素子と第１の場所にあるサンプルとの間の接触の決定を含む第１の規則の同時満足を決定することに応答して実行することができる。接触は、プローブ、たとえばプローブ１０２、３０２、４２０、５０２、６０２、７０２、８０２、９０２、１００２、１１０２、１２０２などがサンプルに接触したとき、例えば、固体サンプルに押し付けられ、液体または気体サンプルなどに挿入されたときなどに満たされると判断してもよい。
【０１３３】
１６２０で、プロセス１６００は、第１の規則の同時満足の欠如の判断に応じて、光エネルギーの放出を無効にすることを含むことができる。一態様では、第１の規則が同時に満たされないという決定に応じて、光エネルギーを停止または分流させることができる。これにより、第１の規則が同時に満たされた場合および場合のみに、光エネルギーが放出される。たとえば、６１２、７１２、８１２、９１２などのコンプライアンスコンポーネントは、さまざまなセンサ、モニタ、ユーザ入力などから入力を受信して、分析を開始するために光エネルギーの保持の開放を調整し、分析は第１の規則の１つまたは複数のコンプライアンス規則の同時満足度に応じて実行できる。
【０１３４】
１６３０で、プロセス１６００は、ラマン分光法プローブの光学素子と第１の場所との間の位置の変化を示すことを含むことができる。ある態様では、プローブの損傷を防ぐために固体サンプルと接触していないプローブに続いて位置の変化が発生する可能性があるが、プローブが気体または液体である場合、気体または液体がプローブを損傷する可能性が低いサンプルとの接触からプローブを取り外すことなく位置の変化は発生する可能性がある。いくつかの実行形態において、位置の変化は、マルチウェルプレートに含まれるウェル間の距離、例えば３８４−、９６−、４８−、２４−、１２−、６−ウェルプレートサンプル容器などと相関し得る。これにより、マルチウェルプレートの１つまたは複数のウェルのサンプルを分析することが可能になる。
【０１３５】
１６４０で、プロセス１６００は、洗浄プローブ規則が満たされたことを決定することを含むことができる。洗浄プローブ規則は、サンプルとの接触間のラマン分光法プローブの光学素子のクリーニングに関連し、たとえば、光学素子は洗浄プローブ規則を満たすためにラマン関連領域で光学的に透明であると判断できる。いくつかの実行形態において、プローブのクリーニングが失敗した場合、プローブは新しいプローブまたは別の方法でクリーニングされたプローブと交換することができる。この新しいプローブまたは他の洗浄プローブは、洗浄プローブ規則を満たすことができる。
【０１３６】
１６５０で、プロセス１６００は、第２の光エネルギーの放出を可能にすることを含むことができる。可能にする操作は、ラマン分光法プローブの光学素子と第２の位置のサンプルとの間の接触を決定することを含む、第２の規則の同時満足を決定することに応答して実行することができる。この時点で、プロセス１６００は終了することが可能である。一態様では、サンプルまたは別のサンプルの第２の位置での第２のラマンスペクトルの第２の捕捉は、同時に満たされると判断される第２の規則に応じて自動的に起こり得る。一例では、プローブがプレートの第１ウェル内のサンプルと接触している場合、第１規則が同時に満たされる第１スペクトルが捕捉され得る。プローブを第１のウェルから引きもどすと、第１の規則が満たされないことがあり、それに応じてラマンレーザーを分流することができる。プレートを移動し、プローブをクリーニングできる。次に、プローブをプレートの第２のウェルのサンプルと、第２の規則を同時に満たすように接触させることができ、これにより、レーザの分流が終了し、第２のラマンスペクトルを取得できる。
【０１３７】
図１７は、本開示の態様による、ベンチトップ分析装置の筐体内でサンプルの光学分光法を実行することにより、サンプルのタイプおよび／またはサンプルの濃度の検証を可能にする例示的なプロセス１７００を示す。
【０１３８】
１７１０で、ベンチトップ分析装置に結合されたコンピュータは、ユーザインターフェースを介して、（ｉ）複数の利用可能なタイプのサンプルの中のサンプルのタイプ、または（ｉｉ）サンプルのタイプの濃度の選択を受け取ってもよい。たとえば、コンピュータは、選択可能なサンプルの種類（たとえば、薬剤の種類）のデータベースを保持し、オペレータは、所有しているサンプルがその種類であることを検証するため、および／またはオペレータが所有しているサンプルが特定の濃度であることを検証するため、これらの種類のサンプルの１つを選択してもよい。図１２は、この目的のための例示的なユーザインターフェース１２６０を示す。
【０１３９】
１７２０で、ベンチトップ分析装置の筐体内のサンプルの光学分光法は、筐体内のプローブからサンプルに向かって光エネルギーを放出することにより実行され得る。たとえば、オペレータは、ベンチトップ分析装置の筐体内にサンプルを配置し、筐体の蓋を閉じ、ボタン（たとえば、検証ボタン、開始ボタンなど）を押すことでサンプルの光学分光を開始してもよい。
【０１４０】
１７３０で、コンピュータは、（ｉ）サンプルがサンプルのタイプであること、または（ｉｉ）サンプルが選択した濃度に対応する（例えば、等しい、許容範囲内にある、など）濃度を有することをユーザインターフェースを介して出力してもよい。
【０１４１】
プロセス１７００を、開示されたベンチトップ分析装置の操作上の使用のために、本明細書に記載された特徴および機能のいずれかと組み合わせて実行してもよい。特に、図１２を参照して説明された特徴および機能を、プロセス１７００のコンテキストに含むことが可能である。
【０１４２】
図１８は、開示された主題が相互作用することができるコンピューティング環境１８００の概略ブロック図を示す。システム１８００は、１つまたは複数のリモートコンポーネント１８１０を含む。リモートコンポーネント１８１０は、ハードウェアおよび／またはソフトウェア（例えば、スレッド、プロセス、コンピューティングデバイス）であり得る。いくつかの実行形態において、リモートコンポーネント１８１０は、サーバ、パーソナルサーバなどを含むことができる。例として、リモートコンポーネント１８１０は、リモートサーバ、コントローラコンポーネント、遠距離に配置されたコンプライアンスコンポーネント６１２、７１２、８１２、９１２など、ユーザ機器、検査室情報管理システム（ＬＥＶＩＳ）コンポーネントなどであり得る。
【０１４３】
システム１８００は、１つまたは複数のローカルコンポーネント１８２０も含む。ローカルコンポーネント１８２０は、ハードウェアおよび／またはソフトウェア（例えば、スレッド、プロセス、コンピューティングデバイス）であり得る。いくつかの実行形態において、ローカルコンポーネント１８２０は、例えば、ローカルコンプライアンスコンポーネント６１２、７１２、８１２、９１２など、撮像コンポーネント１３０、２３０、３３０、４３０など、サンプル提示コンポーネント６２０、７２０、８２０、９２０、１０２０、１１２０、１２２０など、ステージモーションコンポーネント１０２２、１１２２などを含むことができる。
【０１４４】
リモートコンポーネント１８１０とローカルコンポーネント１８２０との間の１つの実現可能な通信は、２つ以上のコンピュータプロセス間で送信されるように適合されたデータパケットの形態であり得る。リモートコンポーネント１８１０とローカルコンポーネント１８２０との間の別の可能な通信は、無線タイムスロット内の２つ以上のコンピュータプロセス間で送信されるように適合された回線交換データの形態であり得る。システム１８００は、リモートコンポーネント１８１０とローカルコンポーネント１８２０との間の通信を促進するために使用することができる通信フレームワーク１８４０を含み、エアインターフェース、例えば、ＵＭＴＳネットワークのＵｕインターフェースを含むことができる。リモートコンポーネント１８１０は、ハードドライブ、ＳＥＶＩカード、デバイスメモリなどの１つまたは複数のリモートデータストア１８５０に動作可能に接続でき、それらは通信フレームワーク１８４０のリモートコンポーネント１８１０側に情報を保存するために使用できる。同様に、ローカルコンポーネント１８２０は、１つまたは複数のローカルデータストア１８３０に動作可能に接続することができ、それは通信フレームワーク１８４０のローカルコンポーネント１８２０側に情報を格納するために使用できる。
【０１４５】
開示された主題の様々な態様のための文脈を提供するために、図１９および以下の文章は、開示された主題の様々な態様を実行することができる適切な環境の簡潔で一般的な説明を提供することを意図している。主題は、１台のコンピュータおよび／または複数のコンピュータ上で実行されるコンピュータプログラムのコンピュータ実行可能指令の一般的な文脈中で上記したように説明されたが、当業者は、開示された主題も他のプログラムモジュールと組み合わせて実行できることを認識するはずである。通常、プログラムモジュールは、特定のタスクを実行するルーチン、プログラム、コンポーネント、データ構造などを含む、および／または特定の抽象データタイプを実装したりする。
【０１４６】
本明細書では、「ストア」、「ストレージ」、「データストア」、「データストレージ」、「データベース」などの用語およびコンポーネントの動作と機能に関連する実質的に他の情報ストレージコンポーネントは、「メモリコンポーネント」、または「メモリ」またはメモリを含むコンポーネントに組み込まれたエンティティを指す。本明細書で説明されるメモリ構成要素は、揮発性メモリまたは不揮発性メモリのいずれかでよく、また、図示の通り揮発性メモリ１９２０（以下を参照）、不揮発性メモリ１９２２（以下を参照）、ディスクストレージ１９２４（以下を参照）、およびメモリストレージ１９４６（以下を参照）などの揮発性メモリまたは不揮発性メモリを含んでもよいが、これらには限定されない。さらに、不揮発性メモリを、読み取り専用メモリ、プログラム可能な読み取り専用メモリ、電気的にプログラム可能な読み取り専用メモリ、電気的に消去可能な読み取り専用メモリ、またはフラッシュメモリに含めることができる。揮発性メモリには、外部キャッシュメモリとして機能するランダムアクセスメモリを含めることができる。限定ではなく例として、ランダムアクセスメモリは、同期ランダムアクセスメモリ、動的ランダムアクセスメモリ、同期動的ランダムアクセスメモリ、ダブルデータレート同期動的ランダムアクセスメモリ、エンハンスト同期動的ランダムアクセスメモリ、シンクリンク（Ｓｙｎｃｈｌｉｎｋ）動的ランダムアクセスメモリ、直接ラムバス（Ｒａｍｂｕｓ）ランダムアクセスメモリなどの多くの形式で利用可能である。さらに、本明細書のシステムまたはプロセスの開示されたメモリ構成要素は、これらに限定されることなく、これらおよび任意の他の適切なタイプのメモリを含むことを意図している。
【０１４７】
さらに、開示された主題は、シン群ロセッサまたはマルチプロセッサのコンピュータシステム、ミニコンピューティングデバイス、メインフレームコンピュータ、ならびにパーソナルコンピュータ、ハンドヘルドコンピューティングデバイス（例えばパーソナルデジタルアシスタント、電話、時計、タブレットコンピュータ、ネットブックコンピュータなど）、マイクロプロセッサベースのまたはプログラム可能な民生用または産業用電子機器などを含む他のコンピュータシステム構成で実行できることに留意されたい。図示された態様は、通信ネットワークを介してリンクされたリモート処理デバイスによってタスクが実行される分散コンピューティング環境でも実践できる。ただし、本開示のすべてではないにしてもいくつかの側面は、スタンドアロンコンピュータで実行できる。分散コンピューティング環境では、プログラムモジュールはローカルとリモートの両方のメモリストレージデバイスに配置できる。
【０１４８】
図１９は、いくつかの実行形態による、開示されたシステムおよびプロセスを実行するために動作可能なコンピューティングシステム１９００のブロック図を示す。例えば、コンプライアンスコンポーネント６１２−９１２など、サンプル提示コンポーネント６２００−１２２０など、ステージモーションコンポーネント１０２２−１１２２など、状態相互作用コンポーネント１０２４−１１２４など、筐体１１０、３１０、４１０、６１０−９１０、および１２１０など、撮像コンポーネント６３０−９３０など、環境制御コンポーネント９６０などに含めることが可能なコンピュータ１９１２は、処理装置１９１４、システムメモリ１９１６、およびシステムバス１９１８を含む。システムバス１９１８は、システムメモリ１９１６を含むシステムコンポーネントを処理装置１９１４に結合するが、このシステムメモリに限定されない。処理装置１９１４は、利用可能なさまざまなプロセッサのいずれでもよい。デュアルマイクロプロセッサおよび他のマルチプロセッサアーキテクチャも、処理装置１９１４として使用することが可能である。
【０１４９】
システムバス１９１８は、メモリバスまたはメモリコントローラ、周辺バスまたは外部バス、および／または、限定されないが、産業標準アーキテクチャ、マイクロチャネルアーキテクチャ、拡張産業標準アーキテクチャ、インテリジェントドライブエレクトロニクス、ビデオエレクトロニクス標準協会ローカルバス、周辺コンポーネント相互接続、カードバス、ユニバーサルシリアルバス、高度なグラフィックポート、パーソナルコンピュータメモリカード国際協会バス、Ｆｉｒｅｗｉｒｅ（Institute of Electrical and Electronics Engineers 1194）、および小型コンピューターシステムインターフェースを含む様々な利用可能なバスアーキテクチャを使用するローカルバスを含むいくつかのタイプのバス構造のいずれかであり得る。
【０１５０】
システムメモリ１９１６は、揮発性メモリ１９２０および不揮発性メモリ１９２２を含む。起動中など、コンピュータ１９１２内の要素間で情報を転送するルーチンを含む基本入出力システムは、不揮発性メモリ１９２２に格納できる。限定ではなく例として、不揮発性メモリ１９２２は、読み取り専用メモリ、プログラム可能な読み取り専用メモリ、電気的にプログラム可能な読み取り専用メモリ、電気的に消去可能な読み取り専用メモリ、またはフラッシュメモリを含むことができる。揮発性メモリ１９２０には、外部キャッシュメモリとして機能する読み取り専用メモリが含まれている。限定ではなく例として、読み取り専用メモリは、同期ランダムアクセスメモリ、動的読み取り専用メモリ、同期動的読み取り専用メモリ、ダブルデータレート同期動的読み取り専用メモリ、強化された同期動的読み取り専用メモリ、シンクリンク（Ｓｙｎｃｈｌｉｎｋ）動的読み取り専用メモリ、ラムバス（Ｒａｍｂｕｓ）直接読み取り専用メモリ、直接ラムバス（Ｒａｍｂｕｓ）動的読み取り専用メモリ、およびラムバス（Ｒａｍｂｕｓ）動的読み取り専用メモリなど多くの形式で利用可能である。
【０１５１】
コンピュータ１９１２は、取り外し可能／取り外し不能、揮発性／不揮発性のコンピュータ記憶媒体も含むことができる。図１９は、例えば、ディスクストレージ１８２４を示す。ディスクストレージ１９２４は、磁気ディスクドライブ、フロッピーディスクドライブ、テープドライブ、フラッシュメモリカード、またはメモリスティックなどのデバイスを含むが、これらに限定されない。加えて、ディスクストレージ１９２４は、ストレージメディアを個別に、またはコンパクトディスク読み取り専用メモリデバイス、コンパクトディスク書き込み可能ドライブ、コンパクトディスク書き換え可能ドライブ、デジタル多用途ディスク読み取り専用メモリなどの光ディスクドライブを含む他のストレージメディアと組み合わせて含むことができるが、他のストレージメディアはこれらに限定されない。ディスク記憶装置１９２４のシステムバス１９１８への接続を促進するために、通常、インターフェース１９２６などの取り外し可能または取り外し不可能なインターフェースが使用される。
【０１５２】
コンピューティングデバイスは通常、さまざまなメディアを含み、これらにはコンピュータ読取り可能なストレージメディアまたは通信メディアを含めることができ、以下に示すようにお互いに異なるように二つの用語が本明細書で使用される。
【０１５３】
コンピュータ読取り可能な記憶媒体は、コンピュータがアクセスできる任意の利用可能な記憶媒体とすることができ、揮発性および不揮発性の媒体、リムーバブルおよび非リムーバブルの媒体が含まれます。限定ではなく例として、コンピュータ読取り可能な記憶媒体は、コンピュータ読取り可能な命令、プログラムモジュール、構造化データ、または非構造化データなどの情報を保存するためのプロセスまたは技術に関連して実装することができる。コンピュータ読取り可能な記憶媒体には、読み取り専用メモリ、プログラム可能な読み取り専用メモリ、電気的にプログラム可能な読み取り専用メモリ、電気的に消去可能な読み取り専用メモリ、フラッシュメモリまたはその他のメモリ技術、コンパクトディスク読み取り専用メモリ、デジタル汎用ディスクまたはその他の光ディスクストレージ、磁気カセット、磁気テープ、磁気ディスクストレージまたはその他の磁気ストレージデバイス、または目的の情報を格納するために使用できるその他の有形媒体が含まれるが、これらに限定されない。これに関して、ストレージ、メモリ、またはコンピュータ読取り可能な媒体に適用される「有形」という用語は、無形信号自体を変更子として伝搬することのみを除外することを理解されるべきで、無形の信号自体を伝播するだけではないすべての標準的なストレージ、メモリ、またはコンピュータ読取り可能なメディアの適用範囲を放棄しない。一態様では、有形媒体は、ストレージ、メモリ、またはコンピュータ読取り可能な媒体に適用される本明細書の「非一時的」という用語が一時的な信号自体を修飾子として伝搬することのみ除外すると理解されうるような非一時的媒体を含むことができ、また、一時的な信号自体を伝播するだけではないすべての標準的なストレージ、メモリ、またはコンピュータ読取り可能なメディアの適用範囲を放棄しない。コンピュータ読取り可能な記憶媒体には、媒体によって格納された情報に関するさまざまな操作のために、たとえばアクセス要求、クエリ、または他のデータ検索プロトコルを介して、１つまたは複数のローカルまたはリモートコンピューティングデバイスによってアクセスできる。そのため、たとえば、コンピュータ読取り可能な媒体は、実行に応じて、プロセッサを含むシステムに動作を実行させる実行可能指令を格納することができ、これには、コンプライアンスコンポーネント６１２−９１２などを介して規則の群の同時満足の判定に応じて光エネルギーの放出を可能にすることが含まれる。
【０１５４】
通信媒体は通常、変調データ信号、例えば搬送波または他のトランスポートメカニズムなどのデータ信号内にあるコンピュータ読取り可能な命令、データ構造、プログラムモジュール、または他の構造化または非構造化データを具体化し、情報配信またはトランスポートメディアを含む。「変調データ信号」または信号、という用語は、１つまたは複数の信号に情報をエンコードするように設定または変更された１つまたは複数の特性を持つ信号を指す。限定ではなく例として、通信媒体には、有線ネットワークや直接配線接続などの有線媒体、および音響、ＲＦ、赤外線、その他の無線媒体などの無線媒体が含まれる。
【０１５５】
図１９は、適切な動作環境１９００に記載されたコンピュータリソースとユーザとの間の仲介として機能するソフトウェアを説明していることに留意されたい。そのようなソフトウェアは、オペレーティングシステム１９２８を含むことができる。ディスクストレージ１９２４に格納できるオペレーティングシステム１９２８は、コンピュータシステム１９１２のリソースを制御および割り当てるように機能する。システムアプリケーション１９３０は、システムメモリ１９１６またはディスクストレージ１９２４に格納されたプログラムモジュール１９３２およびプログラムデータ１９３４を介してオペレーティングシステム１９２８によるリソースの管理を利用する。開示された主題は、様々なオペレーティングシステムまたはオペレーティングシステムの組み合わせにより実現できることに留意されたい。
【０１５６】
ユーザは、入力デバイス１９３６を介してコンピュータ１９１２にコマンドまたは情報を入力できる。いくつかの実行形態において、ユーザインターフェースは、ユーザ嗜好情報などの入力を可能にし、タッチセンシティブディスプレイパネル、マウス入力ＧＵＩ、コマンドライン制御インターフェースなどで具現化され、ユーザがコンピュータ１９１２と対話することを可能にする。入力デバイス１９３６には、マウス、トラックボール、スタイラス、タッチパッド、キーボード、マイク、ジョイスティック、ゲームパッド、パラボラアンテナ、スキャナー、ＴＶチューナーカード、デジタルカメラ、デジタルビデオカメラ、ウェブカメラ、携帯電話、スマートフォン、タブレットコンピュータなどのポインティングデバイスが含まれるが、これらに限定されない。これらおよび他の入力デバイスは、インターフェースポート１９３８を介してシステムバス１９１８を通して処理装置１９１４に接続する。インターフェースポート１９３８には、たとえば、シリアルポート、パラレルポート、ゲームポート、ユニバーサルシリアルバス、赤外線ポート、ブルートゥース（登録商標）ポート、ＩＰポート、またはワイヤレスサービスに関連付けられた論理ポートが含まれる。出力デバイス１９４０は、入力デバイス１９３６と同じタイプのポートのいくつかを使用する。
【０１５７】
したがって、例えば、ユニバーサルシリアルバスポートを使用して、コンピュータ１９１２に入力を提供し、コンピュータ１９１２から出力デバイス１９４０に情報を出力することができる。出力アダプタ１９４２は、特別なアダプタを使用する他の出力デバイス１９４０の中でも、モニタ、スピーカ、プリンタなどのいくつかの出力デバイス１９４０があることを示すために提供される。出力アダプタ１９４２は、出力デバイス１９４０とシステムバス１９１８との間の接続手段を提供するビデオおよびサウンドカードを含むように例示されるがそのようには限定されない。他のデバイスおよび／またはデバイスのシステムは、リモートコンピュータ１９４４などの入力機能と出力機能の両方を提供することに留意されたい。
【０１５８】
コンピュータ１９１２は、リモートコンピュータ１９４４などの１つまたは複数のリモートコンピュータへの論理接続を使用して、ネットワーク環境で動作できる。リモートコンピュータ１９４４は、パーソナルコンピュータ、サーバ、ルータ、ネットワークＰＣ、クラウドストレージ、クラウドサービス、クラウドコンピューティング環境で実行されるコード、ワークステーション、マイクロプロセッサベースのアプライアンス、ピアデバイス、または他の一般的なネットワークノードなどであり、通常、コンピュータ１９１２に関して説明した多くのまたはすべての要素を含む。
【０１５９】
簡潔にするために、リモートコンピュータ１９４４にはメモリストレージデバイス１９４６のみが図示されている。リモートコンピュータ１９４４は、ネットワークインターフェース１９４８を介してコンピュータ１９１２に論理的に接続され、その後、通信接続１９５０を介して物理的に接続される。ネットワークインターフェース１９４８は、ローカルエリアネットワークおよびワイドエリアネットワークなどの有線および／または無線通信ネットワークを包含する。ローカルエリアネットワーク技術には、ファイバー分散データインターフェイス、銅線分散データインターフェイス、イーサネット、トークンリング、ラディウス、ダイアメターなどが含まれる。ワイドエリアネットワーク技術には、ポイントツーポイントリンク、統合サービスデジタルネットワークとそのバリエーションのような回線交換ネットワーク、パケット交換ネットワーク、デジタル加入者回線が含まるが、これらに限定されない。以下に留意するように、追加手段としてまたは代替手段として、ワイヤレステクノロジーを使用してもよい。
【０１６０】
通信接続１９５０は、ネットワークインターフェース１９４８をバス１９１８に接続するために使用されるハードウェア／ソフトウェアを指す。通信接続１９５０はコンピュータ１９１２内部を明瞭に例示するために示されているが、コンピュータ１９１２の外部にあってもよい。ネットワークインターフェース１９４８に接続するためのハードウェア／ソフトウェアには、たとえば、通常の電話グレードモデム、ケーブルモデム、デジタル加入者線モデム、統合サービスデジタルネットワークアダプター、イーサネットカードを含むモデムなどの内部および外部技術を含めることができる。
【０１６１】
要約に記載されているものを含む、本開示の図示された実行形態についての上記の説明は、網羅的であること、または開示された実行形態を開示された正確な形態に限定することを意図しない。本明細書では特定の実行形態および例が例示目的で記載されているが、当業者が認識できるように、そのような実行形態および例の範囲内で考えられる様々な修正が可能である。
【０１６２】
これに関して、開示された主題は、様々な実行形態および対応する図に関連して説明されているが、適用可能な場合、開示された主題の同一、類似、代替、または代用機能をそこから逸脱することなく実行するために他の同様の実行形態を使用することができ、または説明された実行形態に修正および追加を加えることができることを理解されたい。したがって、開示された主題は、本明細書に記載された任意の単一の実行形態に限定されるべきではなく、以下に添付された特許請求の範囲による発明の範囲で解釈されるべきである。
【０１６３】
本明細書で使用されるように、「プロセッサ」という用語は、シングルコアプロセッサ、ソフトウェアのマルチスレッド実行機能を備えたシン群ロセッサ、マルチコアプロセッサ、ソフトウェアのマルチスレッド実行機能を備えたマルチコアプロセッサ、ハードウェアマルチスレッド技術を備えたマルチコアプロセッサ、並列プラットフォーム、分散共有メモリを備えた並列プラットフォームを含む実質的にあらゆるコンピューティング処理ユニットまたはデバイスを指すことがあるが、これらを含むことに限定されない。加えて、プロセッサは、集積回路、特定用途向け集積回路、デジタル信号プロセッサ、フィールドプログラマブルゲートアレイ、プログラマブルロジックコントローラ、複雑なプログラマブルロジックデバイス、ディスクリートゲートまたはトランジスタロジック、ディスクリートハードウェアコンポーネント、または、本明細書で説明される機能を実行するように設計されたそれらの組み合わせを指すことがある。プロセッサは、スペースの使用を最適化するかユーザ機器のパフォーマンスを向上させるために、分子および量子ドットベースのトランジスタ、スイッチ、ゲートなどのナノスケールアーキテクチャを活用できるが、これらには限定されない。プロセッサは、コンピューティング処理ユニットの組み合わせとして実現してもよい。
【０１６４】
このアプリケーションで使用される「コンポーネント」、「システム」、「プラットフォーム」、「レイヤー」、「セレクタ」、「インターフェース」などの用語は、コンピュータ関連のエンティティまたは１つまたは複数の機能を有する操作装置に関連するエンティティを指すことを意図しており、エンティティは、ハードウェア、ハードウェアとソフトウェアの組み合わせ、ソフトウェア、または実行中のソフトウェアのいずれかである。一例として、コンポーネントは、プロセッサ上で実行されるプロセス、プロセッサ、オブジェクト、実行可能ファイル、実行スレッド、プログラム、および／またはコンピュータであり得るが、これらに限定されない。限定ではなく例として、サーバ上で実行されているアプリケーションとサーバの両方をコンポーネントにすることができる。１つまたは複数のコンポーネントがプロセスおよび／または実行スレッド内に常駐し、コンポーネントが１つのコンピュータにローカライズされ、および／または２つ以上のコンピュータ間で分散されてもよい。さらに、これらのコンポーネントは、さまざまなデータ構造が格納されたさまざまなコンピュータ読取り可能な媒体から実行できる。コンポーネントは、１つまたは複数のデータパケットを有する信号（例えば、ローカルシステム、分散システム内、および／または、信号を介した他のシステムとのインターネットなどのネットワークを通じて、他のコンポーネントと対話する１つのコンポーネントからのデータ）に従って、ローカルおよび／またはリモートプロセスを介して通信してもよい。別の例として、コンポーネントは、プロセッサによって実行されるソフトウェアまたはファームウェアアプリケーションによって動作する電気または電子回路によって動作する機械部品によって提供される特定の機能を備えた装置であり、その中でプロセッサは装置の内部または外部にあり、ソフトウェアまたはファームウェアアプリケーションの少なくとも一部を実行することが可能である。さらに別の例として、コンポーネントは、機械部品なしで電子コンポーネントを通じて特定の機能を提供する装置であり、電子コンポーネントは、電子コンポーネントの機能を少なくとも部分的に付与するソフトウェアまたはファームウェアを実行するプロセッサを含むことができる。
【０１６５】
加えて、「または」という用語は、排他的な「または」ではなく、包括的な「または」を意味することを意図している。つまり、特に指定しない限り、または文脈から明らかでない限り、「ＸはＡまたはＢを使用する」は、自然な包括的な順列のいずれかを意味することを意図している。つまり、ＸがＡを使用する場合、ＸがＢを使用する場合、または、ＸがＡとＢの両方を使用する場合、「ＸがＡまたはＢを使用する」は、前述の例のいずれかの場合に満たされる。さらに、本明細書および添付図面で使用される冠詞「ａ」および「ａｎ」は、特に明記しない限り、または単数形を対象とする文脈から明らかでない限り、「１つまたは複数の」を意味すると解釈されるべきである。
【０１６６】
当業者によって理解されるように、本明細書に開示される各実行形態は、その特定の記載された要素、工程、成分またはコンポーネントを備えるか、それらから本質的に成るか、またはそれらから成る。したがって、「含む」または「含んでいる」という用語は、「備える、成る、または本質的に成る」と記述するように解釈すべきである。「備える」という移行句は、含む、を意味するが、たとえ大量であっても不特定の要素、工程、成分、または成分を含むことを限定するのではなく、それらを含むことを考慮する。「成る」という移行句は、指定されていない要素、工程、成分、またはコンポーネントを除外する。「本質的に成る」という移行句は、実行形態の範囲を特定の要素、工程、成分、またはコンポーネントに限定し、また実行形態に著しく影響を及ぼさないそれらに限定する。
【０１６７】
さらに、「ユーザ機器（ＵＥ）」、「モバイルステーション」、「モバイル」、「加入者ステーション」、「加入者機器」、「アクセス端末」、「端末」、「ハンドセット」などの用語、および同様の用語は、データ、制御、音声、ビデオ、音、ゲーム、または実質的に任意のデータストリームまたはシグナリングストリームを受信または伝達するために、無線通信サービスの加入者またはユーザが利用する無線装置を指す。前述の用語は、本明細書および関連する図面中で互換的に使用される。同様に、「アクセスポイント」、「ＡＰ」、「基地局」、「ノードＢ」、「進化したノードＢ」、「ｅノードＢ」、「ホームノードＢ」、「ホームアクセスポイント」などの用語は、本出願内で互換的に使用され、データ、制御、音声、ビデオ、音、ゲーム、または実質的に任意のデータストリームまたはシグナリングストリームを加入者局またはプロバイダー対応装置との間で送受信する無線ネットワークコンポーネントまたは機器を指す。データおよびシグナリングストリームには、パケット化されたフローまたはフレームベースのフローを含めることができる。
【０１６８】
さらに、用語「ユーザ」、「加入者」、「顧客」、「消費者」、「消費者」、「エージェント」などの用語は、文脈が用語間の特定の区別を保証しない限り、本明細書を通して互換的に使用される。そのような用語は、（たとえば、複雑な数学的形式に基づいて推論を行う能力など、人工知能によってサポートされる）人間のエンティティまたは自動化されたコンポーネントを指すことが可能で、それらはシミュレートされたビジョン、音声認識などを提供できるということを理解されたい。
【０１６９】
主題の態様、特徴、または利点は、実質的に任意の、または任意の有線、放送、無線通信、無線技術またはネットワーク、またはそれらの組み合わせにおいて利用することができる。そのような技術またはネットワークの非限定的な例には、放送技術（たとえば、サブヘルツ、極低周波数、超低周波数、低周波数、中周波数、高周波数、超高周波数、極高周波数、極超高周波数、テラヘルツ放送など）;イーサネット；Ｘ．２５；電力線タイプのネットワーク、たとえば、電力線オーディオビデオイーサネットなど；フェムトセル技術；Ｗｉ−Ｆｉ；マイクロ波アクセスの世界規模の相互運用性；エンハンスト汎用パケット無線サービス；第三世代のパートナーシッププロジェクト、ロングタームエボルーション；第三世代パートナーシッププロジェクトのユニバーサルモバイル通信システム；第三世代パートナーシッププロジェクト２、ウルトラモバイルブロードバンド；高速パケットアクセス；高速ダウンリンクパケットアクセス；高速アップリンクパケットアクセス；モバイル通信エボリューション無線アクセスネットワークのグローバルシステムのエンハンストデータレート；ユニバーサル移動通信システムの地上無線アクセスネットワーク；または改良型ロングタームエボリューション、が含まれる。
【０１７０】
上記の内容は、以下の条項を考慮して理解してもよい。
１．  サンプルの光学分光法の実行を促進するプローブと、
プロセッサと、
プロセッサによって実行された場合に動作の実行を促進する実行可能な指令を保存するメモリを備え、
前記メモリは、
プローブがサンプルに接触しているという指示を受け取ることと、
プローブがサンプルに接触しているという指示に基づいて第１の規則がサンプルの接触状態に関わる場合に、第１の規則を備える規則の群が同時に満足されるのを決定することと、
規則の群が同時に満たされるという決定に応じて、第１の光エネルギーの放出によりプローブを介したサンプル検査を可能にすることと、を備える装置。
２．  前記操作は、前記規則の群が同時に満たされていないという決定に応じて、前記第１の光エネルギーの放出を制限することをさらに含む、請求項１に記載の装置。
３．  前記規則の群は、前記サンプルの光学分光法を実行する装置の動作を促進する第１の位置に前記装置の筐体があるという決定に関連する第２の規則をさらに含む、請求項１の装置。
４．  前記規則の群は、前記デバイスの筐体内の周囲光レベルが閾値レベルを遷移したという決定に関連する第２の規則をさらに含む、請求項１の装置。
５．  前記周囲光レベルは、蛍光化合物の人工照明から生じる蛍光光学エネルギーの減衰に対応する、請求項４の装置。
６．  前記装置の筐体の内部の画像へのアクセスを提供するように構成された撮像装置をさらに備え、前記プローブが前記筐体内の前記サンプルに接触する、請求項１の装置。
７．  前記装置の筐体内の環境条件を制御するように構成された環境制御装置をさらに備え、前記プローブが前記筐体内の前記サンプルに接触する、請求項１の装置。
８．  前記環境条件は、温度、圧力、湿度、または大気組成である、請求項７の装置。
９．  前記大気組成物が不活性ガス環境をもたらす、請求項８の装置。
１０．  前記装置の筐体を通して、前記筐体内の前記サンプルと接触している前記プローブの直接的な視覚化を可能にするビューポートをさらに備える、請求項１の装置。
１１．  前記ビューポートは、光エネルギーの透過をスペクトル領域で減衰させる窓材料を含む、請求項１０の装置。
１２．  前記スペクトル領域は、前記サンプルを検査するために使用される前記第１の光エネルギーの周波数に対応する、請求項１１の装置。
１３．  交換可能なプローブチップの貯蔵部をさらに備え、プローブは、交換可能なプローブチップの貯蔵部から選択された交換可能なプローブチップを介して前記サンプルと接触することができる、請求項１の装置。
１４．  前記プローブの洗浄を可能にする洗浄装置をさらに備える、請求項１の装置。
１５．  前記光学分光法はラマン分光法である、請求項１の装置。
１６．  光エネルギーをサンプル検査の一部として伝えるプローブ部と、
前記プローブ部を介して検査用のサンプルを位置決めするサンプルホルダと、
コンプライアンス規則の群の同時なコンプライアンスの決定に応じて光エネルギーの放出を可能にするコンプライアンスコンポーネントを備え、前記コンプライアンス規則の群は、前記プローブ部と前記サンプル間の接触に関する第１のコンプライアンス規則を含む、サンプルホルダと、を備える密閉型光学分析装置と、
コンプライアンス規則の群の適用を可能にし、前記プローブ部を介して検査用サンプルの一部の適用を可能にするために、前記封入された光学分析装置に通信可能に結合されたユーザ装置と、を備えるシステム。
１７．  前記封入された光学分析装置はラマン分光法を実行する、請求項１６のシステム。
１８．  前記コンプライアンス規則の群を適用させることは、前記コンプライアンス規則の群のコンプライアンス規則を修正すること、前記コンプライアンス規則の群にコンプライアンス規則を追加すること、または前記コンプライアンス規則の群からコンプライアンス規則を除去することを含む、請求項１６のシステム。
１９．  プロセッサを備えるシステムにより、第１のコンプライアンス規則を含むコンプライアンス規則の同時コンプライアンスの決定に応答して光エネルギーの放出を可能にし、
前記第１のコンプライアンス規則はラマン分光法プローブの球面光学素子とラマン分光計の筐体内のサンプルとの間の接触に基づいて満たされると決定され、
コンプライアンス規則の同時コンプライアンスの欠落の決定に応じて光エネルギーの放出を前記システムにより制限することを備える、方法。
２０．  前記コンプライアンス規則は、前記筐体内の周囲光のレベルに関する第２のコンプライアンス規則と、閉鎖されている筐体に関する第３のコンプライアンス規則と、筐体の壁を通してビューポートの状態に関する第４のコンプライアンス規則と、
筐体内の環境条件に関連する第５の規則、または、ラマン分光プローブの球面光学素子を介した光透過レベルに関する第６の規則をさらに含む、請求項１９の方法。
【０１７１】
上記で説明されたものは、開示された主題を例示するシステムおよびプロセスの例を含む。もちろん、ここでコンポーネントまたはプロセスのすべての組み合わせを説明することはできない。当業者は、請求された主題の多くのさらなる組み合わせおよび置換が可能であることを認識し得る。
【図１】
2020507784.tif 000003
【図２】
2020507784.tif 000004
【図３】
2020507784.tif 000005
【図４】
2020507784.tif 000006
【図５】
2020507784.tif 000007
【図６】
2020507784.tif 000008
【図７】
2020507784.tif 000009
【図８】
2020507784.tif 000010
【図９】
2020507784.tif 000011
【図１０】
2020507784.tif 000012
【図１１】
2020507784.tif 000013
【図１２】
2020507784.tif 000014
【図１３】
2020507784.tif 000015
【図１４】
2020507784.tif 000016
【図１５】
2020507784.tif 000017
【図１６】
2020507784.tif 000018
【図１７】
2020507784.tif 000019
【図１８】
2020507784.tif 000020
【図１９】
2020507784.tif 000021
【国際調査報告】
2020507784.tif 000022
2020507784.tif 000023